(57)【特許請求の範囲】
【請求項１】
基地局によって送信された、前記基地局の位置情報を含むユーザ機器（ＵＥ）のアクセス要求メッセージを受信するステップと、
前記基地局の前記位置情報に応じて、前記ＵＥに対応するサービング・ゲートウェイ・エンティティ（ＳＧＷ）群のシグナリング・プレーン・アドレス・リストを獲得するステップと、
前記ＳＧＷ群と、前記ＳＧＷ群の隣接する、前記基地局およびパケット・データ・ネットワーク・ゲートウェイ（ＰＧＷ）群を含む、複数のネットワーク要素群との間のパス群の故障情報、および、前記ＵＥに対応するＳＧＷ群の前記獲得されたシグナリング・プレーン・アドレス・リストに応じて、前記ＵＥに対応するため隣接する複数のネットワーク要素への故障したパスを有していないＳＧＷを選択するステップと、を備え、
前記ＳＧＷ群と前記ＳＧＷ群の隣接する複数のネットワーク要素群との間のパス群の故障情報、および、前記ＵＥに対応するＳＧＷ群の前記獲得されたシグナリング・プレーン・アドレス・リストに応じて、前記ＵＥに対応するため隣接する複数のネットワーク要素への故障したパスを有していないＳＧＷを選択するステップは、
前記ＳＧＷ群と前記ＳＧＷ群の隣接する複数のネットワーク要素群との間のパス群の故障情報に応じて、前記ＳＧＷ群のシグナリング・プレーン・アドレス・リストにおいて、隣接する複数のネットワーク要素への故障したパスを有する個々のＳＧＷのシグナリング・プレーン・アドレスを決定するステップと、
前記ＳＧＷ群のシグナリング・プレーン・アドレス・リストから、隣接する複数のネットワーク要素への故障したパスを有する個々のＳＧＷのシグナリング・プレーン・アドレスを除去し、次に、前記ＳＧＷ群のシグナリング・プレーン・アドレス・リストに応じて前記ＵＥに対するＳＧＷを選択するステップと、
を備える、サービング・ゲートウェイ・エンティティを選択する方法。
【請求項２】
前記ＳＧＷ群と前記ＳＧＷ群の隣接する複数のネットワーク要素群との間のパス群の故障情報は、以下の情報：
前記基地局と前記ＳＧＷ群との間のユーザ・プレーン・パス群の故障情報と、
前記ＳＧＷ群とパケット・データ・ネットワーク・ゲートウェイ（ＰＧＷ）群との間のシグナリング・プレーン・パス群の故障情報と、
前記ＳＧＷ群と前記ＰＧＷ群との間のユーザ・プレーン・パス群の故障情報と、
のうちの少なくとも１つを備える、請求項１に記載の方法。
【請求項３】
前記ＳＧＷ群と前記ＳＧＷ群の隣接する複数のネットワーク要素群との間のパス群の故障情報に応じて、前記ＳＧＷ群のシグナリング・プレーン・アドレス・リストにおいて、隣接する複数のネットワーク要素への故障したパスを有する個々のＳＧＷのシグナリング・プレーン・アドレスを決定するステップは、以下の方法：
前記基地局の前記位置情報、および、前記基地局と前記ＳＧＷ群との間のユーザ・プレーン・パス群の故障情報に応じて、前記基地局への故障したユーザ・プレーン・パスを有する個々のＳＧＷのシグナリング・プレーン・アドレスを決定するステップと、
獲得されたＰＧＷのシグナリング・プレーン・アドレス、および、前記ＳＧＷ群と前記ＰＧＷ群との間のシグナリング・プレーン・パス群の故障情報に応じて、前記獲得されたＰＧＷへの故障したシグナリング・プレーン・パスを有する個々のＳＧＷのシグナリング・プレーン・アドレスを決定するステップと、
獲得されたＰＧＷのユーザ・プレーン・アドレス、および、前記ＳＧＷ群と前記ＰＧＷ群との間のユーザ・プレーン・パス群の故障情報に応じて、前記獲得されたＰＧＷへの故障したユーザ・プレーン・パスを有する個々のＳＧＷのシグナリング・プレーン・アドレスを決定するステップと、
のうちの少なくとも１つを備える、請求項２に記載の方法。
【請求項４】
前記ＳＧＷ群と前記ＳＧＷ群の隣接する複数のネットワーク要素群との間のパス群の故障情報、および、前記ＵＥに対応するＳＧＷ群の前記獲得されたシグナリング・プレーン・アドレス・リストに応じて、前記ＵＥに対応するため隣接する複数のネットワーク要素への故障したパスを有していないＳＧＷを選択するステップは、
前記基地局が前記選択されたＳＧＷへのユーザ・プレーン・パスは故障していることを検出した後、前記基地局によって送信された、前記選択されたＳＧＷへのユーザ・プレーン・パスの故障識別子を含むＳ１−ＡＰメッセージを受信し、前記基地局の情報と前記選択されたＳＧＷのシグナリング・プレーン・アドレスとの間の対応関係を前記基地局と前記ＳＧＷ群との間のユーザ・プレーン・パス群の故障情報に記憶するステップと、
前記基地局と前記ＳＧＷ群との間のユーザ・プレーン・パス群の故障情報、および、前記ＵＥに対応するＳＧＷ群の前記獲得されたシグナリング・プレーン・アドレス・リストに応じて、前記ＵＥに対応するため前記基地局への故障したパスを有していないＳＧＷを選択するステップと、
を備える、請求項２に記載の方法。
【請求項５】
前記ＳＧＷ群と前記ＳＧＷ群の隣接する複数のネットワーク要素群との間のパス群の故障情報、および、前記ＵＥに対応するＳＧＷ群の前記獲得されたシグナリング・プレーン・アドレス・リストに応じて、前記ＵＥに対応するため隣接する複数のネットワーク要素への故障したパスを有していないＳＧＷを選択するステップは、
前記選択されたＳＧＷが前記基地局へのユーザ・プレーン・パスは故障していることを検出した後、前記選択されたＳＧＷによって送信された、前記基地局へのユーザ・プレーン・パスの故障識別子を含むＳ１１インターフェース・メッセージを受信し、前記基地局の情報と前記選択されたＳＧＷのシグナリング・プレーン・アドレスとの間の対応関係を前記基地局と前記ＳＧＷ群との間のユーザ・プレーン・パス群の故障情報に記憶するステップと、
前記基地局と前記ＳＧＷ群との間のユーザ・プレーン・パス群の故障情報、および、前記ＵＥに対応するＳＧＷ群の前記獲得されたシグナリング・プレーン・アドレス・リストに応じて、前記ＵＥに対応するため前記基地局への故障したパスを有していないＳＧＷを選択するステップと、
を備える、請求項２に記載の方法。
【請求項６】
前記ＳＧＷ群と前記ＳＧＷ群の隣接する複数のネットワーク要素群との間のパス群の故障情報、および、前記ＵＥに対応するＳＧＷ群の前記獲得されたシグナリング・プレーン・アドレス・リストに応じて、前記ＵＥに対応するため隣接する複数のネットワーク要素への故障したパスを有していないＳＧＷを選択するステップは、
前記選択されたＳＧＷが獲得されたＰＧＷへのシグナリング・プレーン・パスは故障していることを検出した後、前記選択されたＳＧＷによって送信された、前記ＰＧＷへのシグナリング・プレーン・パスの故障識別子を含むＳ１１インターフェース・メッセージを受信し、前記選択されたＳＧＷのシグナリング・プレーン・アドレスと前記獲得されたＰＧＷのシグナリング・プレーン・アドレスとの間の対応関係を前記ＳＧＷ群と前記ＰＧＷ群との間のシグナリング・プレーン・パス群の故障情報に記憶するステップと、
前記ＰＧＷ群と前記ＳＧＷ群との間のシグナリング・プレーン・パス群の故障情報、および、前記ＵＥに対応するＳＧＷ群の前記獲得されたシグナリング・プレーン・アドレス・リストに応じて、前記ＵＥに対応するため前記ＰＧＷへの故障したパスを有していないＳＧＷを選択するステップと、
を備える、請求項２に記載の方法。
【請求項７】
前記ＳＧＷ群と前記ＳＧＷ群の隣接する複数のネットワーク要素群との間のパス群の故障情報、および、前記ＵＥに対応するＳＧＷ群の前記獲得されたシグナリング・プレーン・アドレス・リストに応じて、前記ＵＥに対応するため隣接する複数のネットワーク要素への故障したパスを有していないＳＧＷを選択するステップは、
前記選択されたＳＧＷが獲得されたＰＧＷへのユーザ・プレーン・パスは故障していることを検出した後、前記選択されたＳＧＷによって送信された、前記ＰＧＷへのユーザ・プレーン・パスの故障識別子を含むＳ１１インターフェース・メッセージを受信し、前記選択されたＳＧＷのシグナリング・プレーン・アドレスと前記獲得されたＰＧＷのユーザ・プレーン・アドレスとの間の対応関係を前記ＳＧＷ群と前記ＰＧＷ群との間のユーザ・プレーン・パス群の故障情報に記憶するステップと、
前記ＰＧＷ群と前記ＳＧＷ群との間のユーザ・プレーン・パス群の故障情報、および、前記ＵＥに対応するＳＧＷ群の前記獲得されたシグナリング・プレーン・アドレス・リストに応じて、前記ＵＥに対応するため前記ＰＧＷへの故障したパスを有していないＳＧＷを選択するステップと、
を備える、請求項２に記載の方法。
【請求項８】
基地局によって送信された、前記基地局の位置情報を含むユーザ機器（ＵＥ）のアクセス要求メッセージを受信するために構成されている受信モジュールと、
前記受信モジュールによって受信された前記基地局の前記位置情報に応じて、前記ＵＥに対応するサービング・ゲートウェイ・エンティティ（ＳＧＷ）群のシグナリング・プレーン・アドレス・リストを獲得するために構成されている獲得モジュールと、
前記ＳＧＷ群と、前記ＳＧＷ群の隣接する、前記基地局およびパケット・データ・ネットワーク・ゲートウェイ（ＰＧＷ）群を含む、複数のネットワーク要素群との間のパス群の故障情報、および、前記獲得モジュールによって獲得された前記ＵＥに対応するＳＧＷ群のシグナリング・プレーン・アドレス・リストに応じて、前記ＵＥに対応するため隣接する複数のネットワーク要素への故障したパスを有していないＳＧＷを選択するために構成されている選択モジュールと、
を備え、
前記選択モジュールは、
前記ＳＧＷ群と前記ＳＧＷ群の隣接する複数のネットワーク要素群との間のパス群の故障情報に応じて、前記ＳＧＷ群のシグナリング・プレーン・アドレス・リストにおいて、隣接する複数のネットワーク要素への故障したパスを有する個々のＳＧＷのシグナリング・プレーン・アドレスを決定するために構成されている獲得ユニットと、
前記ＳＧＷ群のシグナリング・プレーン・アドレス・リストから、前記獲得ユニットによって決定された隣接する複数のネットワーク要素への故障したパスを有する個々のＳＧＷのシグナリング・プレーン・アドレスを除去し、次に、前記ＳＧＷ群のシグナリング・プレーン・アドレス・リストに応じて、前記ＵＥに対するＳＧＷを選択するために構成されている選択ユニットと、
を備える、サービング・ゲートウェイ・エンティティを選択する装置。
【請求項９】
前記ＳＧＷ群と前記ＳＧＷ群の隣接する複数のネットワーク要素群との間のパス群の故障情報は、以下の情報：
前記基地局と前記ＳＧＷ群との間のユーザ・プレーン・パス群の故障情報と、
前記ＳＧＷ群とパケット・データ・ネットワーク・ゲートウェイＰＧＷ群との間のシグナリング・プレーン・パス群の故障情報と、
前記ＳＧＷ群と前記ＰＧＷ群との間のユーザ・プレーン・パス群の故障情報と、
のうちの少なくとも１つを含む、請求項８に記載の装置。
【請求項１０】
前記獲得ユニットは、以下の獲得サブユニット：
前記基地局の前記位置情報、および、前記基地局と前記ＳＧＷ群との間のユーザ・プレーン・パス群の故障情報に応じて、前記基地局への故障したユーザ・プレーン・パスを有する個々のＳＧＷのシグナリング・プレーン・アドレスを決定するために構成されている第１の獲得サブユニットと、
獲得されたＰＧＷのシグナリング・プレーン・アドレス、および、前記ＳＧＷ群と前記ＰＧＷ群との間のシグナリング・プレーン・パス群の故障情報に応じて、前記獲得されたＰＧＷへの故障したシグナリング・プレーン・パスを有する個々のＳＧＷのシグナリング・プレーン・アドレスを決定するために構成されている第２の獲得サブユニットと、
獲得されたＰＧＷのユーザ・プレーン・アドレス、および、前記ＳＧＷ群と前記ＰＧＷ群との間のユーザ・プレーン・パス群の故障情報に応じて、前記獲得されたＰＧＷへの故障したユーザ・プレーン・パスを有する個々のＳＧＷのシグナリング・プレーン・アドレスを決定するために構成されている第３の獲得サブユニットと、
のうちの少なくとも１つを備える、請求項９に記載の装置。
【請求項１１】
前記選択モジュールは、
前記基地局が前記選択されたＳＧＷへのユーザ・パスは故障していることを検出した後、前記基地局によって送信された、前記選択されたＳＧＷへのユーザ・プレーン・パスの故障識別子を含むＳ１−ＡＰメッセージを受信し、前記基地局の情報と前記選択されたＳＧＷのシグナリング・プレーン・アドレスとの間の対応関係を前記基地局と前記ＳＧＷ群との間のユーザ・プレーン・パス群の故障情報に記憶するために構成されている第１の記憶ユニットと、
前記基地局と前記ＳＧＷ群との間のユーザ・プレーン・パス群の故障情報、および、前記ＵＥに対応するＳＧＷ群の前記獲得されたシグナリング・プレーン・アドレス・リストに応じて、前記ＵＥに対応するため前記基地局への故障したパスを有していないＳＧＷを選択するために構成されている第１の選択ユニットと、
を備える、請求項９に記載の装置。
【請求項１２】
前記選択モジュールは、
前記選択されたＳＧＷが前記基地局へのユーザ・パスは故障していることを検出した後、前記選択されたＳＧＷによって送信された、前記基地局へのユーザ・プレーン・パスの故障識別子を含むＳ１１インターフェース・メッセージを受信し、前記基地局の情報と前記選択されたＳＧＷのシグナリング・プレーン・アドレスとの間の対応関係を前記基地局と前記ＳＧＷ群との間のユーザ・プレーン・パス群の故障情報に記憶するために構成されている第２の記憶ユニットと、
前記基地局と前記ＳＧＷ群との間のユーザ・プレーン・パス群の故障情報、および、前記ＵＥに対応するＳＧＷ群の前記獲得されたシグナリング・プレーン・アドレス・リストに応じて、前記ＵＥに対応するため前記基地局への故障したパスを有していないＳＧＷを選択するために構成されている第２の選択ユニットと、
を備える、請求項９に記載の装置。
【請求項１３】
前記選択モジュールは、
前記選択されたＳＧＷが獲得されたＰＧＷへのシグナリング・プレーン・パスは故障していることを検出した後、前記選択されたＳＧＷによって送信された、前記ＰＧＷへのシグナリング・プレーン・パスの故障識別子を含むＳ１１インターフェース・メッセージを受信し、前記選択されたＳＧＷのシグナリング・プレーン・アドレスと前記獲得されたＰＧＷのシグナリング・プレーン・アドレスとの間の対応関係を前記ＳＧＷ群と前記ＰＧＷ群との間のシグナリング・プレーン・パス群の故障情報に記憶するために構成されている第３の記憶ユニットと、
前記ＰＧＷ群と前記ＳＧＷ群との間のシグナリング・プレーン・パス群の故障情報、および、前記ＵＥに対応するＳＧＷ群の前記獲得されたシグナリング・プレーン・アドレス・リストに応じて、前記ＵＥに対応するため前記ＰＧＷへの故障したパスを有していないＳＧＷを選択するために構成されている第３の選択ユニットと、
を備える、請求項９に記載の装置。
【請求項１４】
前記選択モジュールは、
前記選択されたＳＧＷが獲得されたＰＧＷへのユーザ・プレーン・パスは故障していることを検出した後、前記選択されたＳＧＷによって送信された、前記ＰＧＷへのユーザ・プレーン・パスの故障識別子を含むＳ１１インターフェース・メッセージを受信し、前記選択されたＳＧＷのシグナリング・プレーン・アドレスと前記獲得されたＰＧＷのユーザ・プレーン・アドレスとの間の対応関係を前記ＳＧＷ群と前記ＰＧＷ群との間のユーザ・プレーン・パス群の故障情報に記憶するために構成されている第４の記憶ユニットと、
前記ＰＧＷ群と前記ＳＧＷ群との間のユーザ・プレーン・パス群の故障情報、および、前記ＵＥに対応するＳＧＷ群の前記獲得されたシグナリング・プレーン・アドレス・リストに応じて、前記ＵＥに対応するため前記ＰＧＷへの故障したパスを有していないＳＧＷを選択するために構成されている第４の選択ユニットと、
を備える、請求項９に記載の装置。
【発明の詳細な説明】
【技術分野】
【０００１】
本発明は、通信分野に係わり、詳しくは、サービング・ゲートウェイ・エンティティを選択する方法および装置に関する。
【背景技術】
【０００２】
第３世代移動通信標準化機構は、将来のネットワークの競争力を高めるためＳＡＥ（Ｓｙｓｔｅｍ  Ａｒｃｈｉｔｅｃｔｕｒｅ  Ｅｖｏｌｕｔｉｏｎ、システム・アーキテクチャ・エボリューション）システムに着手している。ＳＡＥシステムは、ｅＮｏｄｅＢ（ｅｎｈａｎｃｅｄ  ＮｏｄｅＢ、エンハンスド基地局）、ＭＭＥ（Ｍｏｂｉｌｉｔｙ  Ｍａｇａｇｅｍｅｎｔ  Ｅｎｔｉｔｙ、移動管理エンティティ）、ＳＧＷ（Ｓｅｒｖｉｎｇ  Ｇａｔｅｗａｙ、サービング・ゲートウェイ・エンティティ）、およびＰＧＷ（Ｐａｃｋｅｔ  Ｎｅｔｗｏｒｋ  Ｄａｔａ  Ｇａｔｅｗａｙ、パケット・ネットワーク・データ・ゲートウェイ）のようなネットワーク要素を含む。ＵＥ（Ｕｓｅｒ  Ｅｑｕｉｐｍｅｎｔ、ユーザ機器）がＳＡＥシステムにアクセスし、ネットワークとのコネクションを確立することを必要とするとき、ＭＭＥは、ＵＥに対するＳＧＷおよびＰＧＷを選択し、次に、ＵＥは、ｅＮｏｄｅＢと、ＵＥに対するＭＭＥによって選択されたＳＧＷおよびＰＧＷとを介して、ネットワークとのコネクションを確立する。
【０００３】
現在のところ、ＵＥがネットワークとのコネクションを確立することが必要であるとき、ＭＭＥは、ＵＥによって選択されたｅＮｏｄｅＢのＴＡＩ（Ｔｒａｃｋｉｎｇ  Ａｒａｒ  Ｉｄｅｎｔｉｔｙ、トラッキングエリア識別情報）に応じて、ＵＥに対応する能力がある全てのＳＧＷ群を獲得し、ＵＥによって定期的に取得されるＡＰＮ（Ａｃｃｅｓｓ  Ｐｏｉｎｔ  Ｎａｍｅ、アクセスポイント名）に応じて、ＵＥに対応する能力があるＰＧＷを獲得し、次に、ＵＥに対するすべての獲得されたＳＧＷ群からＳＧＷを選択する。次に、ＵＥは、ＵＥ自体によって選択されたｅＮｏｄｅＢと、ＭＭＥによって選択されたＳＧＷと、獲得されたＰＧＷとを介してネットワークとのコネクションを確立する。
【０００４】
ＵＥに対しＭＭＥによって選択されたＳＧＷとＵＥによってアクセスされたｅＮｏｄｅＢとの間のユーザ・プレーン・パスが故障しているか、または、ＵＥ対しＭＭＥによって選択されたＳＧＷと獲得されたＰＧＷとの間のパスが故障している場合、ＵＥとネットワークとの間のコネクションの確立が故障し、この場合、ＭＭＥは、コネクションを確立するためＵＥに対するＳＧＷを再選択することが必要であり、ＵＥに対するネットワークアクセスの時間浪費の増加と、多数のネットワークリソースの無駄遣いとを引き起こす。
【発明の概要】
【発明が解決しようとする課題】
【０００５】
ＵＥのネットワークアクセスの時間浪費を削減し、ネットワークリソースを節約するために、本発明の実施形態は、サービング・ゲートウェイ・エンティティを選択する方法および装置を提供する。これらの技術的解決手法は以下の通りである。
【課題を解決するための手段】
【０００６】
サービング・ゲートウェイ・エンティティを選択する方法は、
基地局によって送信された、基地局の位置情報を含むユーザ機器ＵＥのアクセス要求メッセージを受信するステップと、
基地局の位置情報に応じて、ＵＥに対応するサービング・ゲートウェイ・エンティティＳＧＷ群のシグナリング・プレーン・アドレス・リストを獲得するステップと、
ＳＧＷ群とＳＧＷ群の隣接するネットワーク要素群との間のパス群の故障情報、および、ＵＥに対応するＳＧＷ群の獲得されたシグナリング・プレーン・アドレス・リストに応じて、ＵＥに対応するためＳＧＷの隣接するネットワーク要素への故障したパスを有していないＳＧＷを選択するステップと、
を備える方法である。
【０００７】
サービング・ゲートウェイ・エンティティを選択する装置は、
基地局によって送信された、基地局の位置情報を含むユーザ機器ＵＥのアクセス要求メッセージを受信するために構成されている受信モジュールと、
受信モジュールによって受信された基地局の位置情報に応じて、ＵＥに対応するサービング・ゲートウェイ・エンティティＳＧＷ群のシグナリング・プレーン・アドレス・リストを獲得するために構成されている獲得モジュールと、
ＳＧＷ群とＳＧＷ群の隣接するネットワーク要素群との間のパス群の故障情報、および、獲得モジュールによって獲得されたＵＥに対応するＳＧＷ群のシグナリング・プレーン・アドレス・リストに応じて、ＵＥに対応するためＳＧＷの隣接するネットワーク要素への故障したパスを有していないＳＧＷを選択するために構成されている選択モジュールと、
を備える装置である。
【０００８】
本発明の実施形態によるサービング・ゲートウェイ・エンティティを選択する方法および装置において、ＳＧＷの隣接するネットワーク要素への故障したパスを有していないＳＧＷは、基地局の位置情報に応じてＵＥに対して選択されることがある。このようにして、ＵＥに対するコネクションの１回限りの確立の成功確率が確保され、ＵＥのネットワークアクセスの時間浪費が削減され、ネットワークリソースが節約される。
【図面の簡単な説明】
【０００９】
【図１】図１は本発明の実施形態が適用されるネットワークアーキテクチャを示した図である。
【図２】図２は本発明の実施形態１によるサービング・ゲートウェイ・エンティティを選択する方法のフローチャートである。
【図３】図３は本発明の実施形態２によるサービング・ゲートウェイ・エンティティを選択する方法のフローチャートである。
【図４】図４は本発明の実施形態２によるＳＧＷとＰＧＷとの間のパスの故障を決定するフローチャートである。
【図５】図５は本発明の実施形態３によるサービング・ゲートウェイ・エンティティを選択する方法のフローチャートである。
【図６】図６は本発明の実施形態４によるサービング・ゲートウェイ・エンティティを選択する方法のフローチャートである。
【図７】図７は本発明の実施形態５によるサービング・ゲートウェイ・エンティティを選択する方法のフローチャートである。
【図８】図８は本発明の実施形態６によるサービング・ゲートウェイ・エンティティを選択する装置の概略図である。
【発明を実施するための形態】
【００１０】
本発明の目的、技術的解決手法、および利点をより分かりやすくするため、本発明の実施形態は、以下に添付図面を参照して詳細に説明される。
【００１１】
本発明の実施形態は、図１に示されたネットワークアーキテクチャに適用される。ＭＭＥおよびｅＮｏｄｅＢは、Ｓ１−ＭＭＥインターフェースを介して接続され、ＭＭＥおよびＳＧＷは、Ｓ１１インターフェースを介して接続され、ｅＮｏｄｅＢおよびＳＧＷは、Ｓ１−Ｕインターフェースを介して接続され、ＳＧＷおよびＰＧＷは、Ｓ５／Ｓ８インターフェースを介して接続されている。ｅＮｏｄｅＢとＳＧＷとの間のコントロールプレーンは、ＭＭＥに配置されている。その結果、ＭＭＥとｅＮｏｄｅＢとの間のパス、および、ＭＭＥとＳＧＷとの間のパスは、シグナリング・プレーン・パスであり、ｅＮｏｄｅＢとＳＧＷとの間のパスは、ユーザ・プレーン・パスであり、ＳＧＷとＰＧＷとの間のパスは、ユーザ・プレーン・パスとコントロール・プレーン・パスとを含む。
【００１２】
実施形態１
図２に示されるように、本発明の実施形態は、サービング・ゲートウェイ・エンティティを選択する方法を提供し、この方法は、以下のステップを含む。
【００１３】
ステップ１０１：基地局によって送信された、基地局の位置情報を含むＵＥのアクセス要求メッセージを受信する。
【００１４】
ＵＥのアクセス要求メッセージは、初期ＵＥメッセージ（Ｉｎｉｔｉａｌ  ＵＥ  Ｍｅｓｓａｇｅ）、Ｓ１−ＡＰメッセージ、ハンドオーバ要求受付メッセージ、サービス要求メッセージなどでもよい。
【００１５】
ステップ１０２：基地局の位置情報に応じて、ＵＥに対応するＳＧＷ群のシグナリング・プレーン・アドレス・リストを獲得する。
【００１６】
ステップ１０３：ＳＧＷ群とＳＧＷ群の隣接するネットワーク要素群との間のパス群の故障情報、および、ＵＥに対応するＳＧＷ群の獲得されたシグナリング・プレーン・アドレス・リストに応じて、ＵＥに対応するためＳＧＷの隣接するネットワーク要素への故障したパスを有していないＳＧＷを選択する。
【００１７】
この方法の実行実体はＭＭＥでもよく、または、ＳＧＳＮ（ＳＥＲＶＩＮＧＳ  ＧＰＲＳ  ＳＵＰＰＯＲＴ  ＮＯＤＥ、ＧＰＲＳ（Ｇｅｎｅｒａｌ  Ｐａｃｋｅｔ  Ｒａｄｉｏ  Ｓｅｒｖｉｃｅ、一般パケット無線サービス）サポートノード）などでもよい。
【００１８】
本発明の実施形態では、ＳＧＷ群とＳＧＷ群の隣接するネットワーク要素群との間のパス群の故障情報は、
ＳＧＷ群と基地局との間のパス群の故障情報、および／または、
ＳＧＷ群とＰＧＷ群との間のパス群の故障情報
を含む。
【００１９】
さらに、パス故障情報は、パスが故障しているか否かに関する情報を含み、パス故障情報は、ユーザ・プレーン・パス情報および／またはシグナリング・プレーン・パス情報をさらに含むことがある。
【００２０】
ＳＧＷ群とＳＧＷ群の隣接するネットワーク要素群との間のパス群の故障情報、および、ＵＥに対応するＳＧＷ群の獲得されたシグナリング・プレーン・アドレス・リストに応じて、ＵＥに対応するためＳＧＷの隣接するネットワーク要素への故障したパスを有していないＳＧＷを選択するステップは、
ＳＧＷ群とＳＧＷ群の隣接するネットワーク要素群との間のパス群の故障情報に応じて、ＳＧＷ群のシグナリング・プレーン・アドレス・リストの中でＳＧＷの隣接するネットワーク要素への故障したパスを有するＳＧＷのシグナリング・プレーン・アドレスを決定するステップと、
ＳＧＷ群のシグナリング・プレーン・アドレス・リストからＳＧＷの隣接するネットワーク要素への故障したパスを有するＳＧＷのシグナリング・プレーン・アドレスを除去し、次に、ＳＧＷ群のシグナリング・プレーン・アドレス・リストに応じて、ＵＥに対するＳＧＷを選択するステップと、
を含む。
【００２１】
本発明の別の実施形態では、ＳＧＷ群とＳＧＷ群の隣接するネットワーク要素群との間のパス群の故障情報に応じて、ＳＧＷ群のシグナリング・プレーン・アドレス・リストの中でＳＧＷの隣接するネットワーク要素への故障したパスを有するＳＧＷのシグナリング・プレーン・アドレスを決定するステップは、以下の方法：
基地局の位置情報および基地局とＳＧＷ群との間のユーザ・プレーン・パス群の故障情報に応じて、基地局への故障したユーザ・プレーン・パスを有するＳＧＷのシグナリング・プレーン・アドレスを決定するステップと、
獲得されたＰＧＷのシグナリング・プレーン・アドレス、および、ＳＧＷ群とＰＧＷ群との間のシグナリング・プレーン・パス群の故障情報に応じて、獲得されたＰＧＷへの故障したシグナリング・プレーン・パスを有するＳＧＷのシグナリング・プレーン・アドレスを決定するステップと、
獲得されたＰＧＷのユーザ・プレーン・アドレス、および、ＳＧＷ群とＰＧＷ群との間のユーザ・プレーン・パス群の故障情報に応じて、獲得されたＰＧＷへの故障したユーザ・プレーン・パスを有するＳＧＷのシグナリング・プレーン・アドレスを決定するステップと、
のうちの少なくとも１つを含む。
【００２２】
本発明の別の実施形態では、ＳＧＷ群とＳＧＷ群の隣接するネットワーク要素群との間のパス群の故障情報、および、ＵＥに対応するＳＧＷ群の獲得されたシグナリング・プレーン・アドレス・リストに応じて、ＵＥに対応するためＳＧＷの隣接するネットワーク要素への故障したパスを有していないＳＧＷを選択するステップは、
基地局が選択されたＳＧＷへのユーザ・プレーン・パスは故障していることを検出した後、基地局によって送信された、ユーザ・プレーン・パスの故障識別子を含むＳ１−ＡＰメッセージを受信し、基地局の情報と選択されたＳＧＷのシグナリング・プレーン・アドレスとの間の対応関係を基地局とＳＧＷ群との間のユーザ・プレーン・パス群の故障情報に記憶するステップと、
基地局とＳＧＷ群との間のユーザ・プレーン・パス群の故障情報、および、ＵＥに対応するＳＧＷ群の獲得されたシグナリング・プレーン・アドレス・リストに応じて、ＵＥに対応するため基地局への故障したパスを有していないＳＧＷを選択するステップ、または、
選択されたＳＧＷが基地局へのユーザ・プレーン・パスは故障していることを検出した後、選択されたＳＧＷによって送信された、基地局へのユーザ・プレーン・パスの故障識別子を含むＳ１１インターフェース・メッセージを受信し、基地局の情報と選択されたＳＧＷのシグナリング・プレーン・アドレスとの間の対応関係を基地局とＳＧＷ群との間のユーザ・プレーン・パス群の故障情報に記憶するステップと、
基地局とＳＧＷ群との間のユーザ・プレーン・パス群の故障情報、および、ＵＥに対応するＳＧＷ群の獲得されたシグナリング・プレーン・アドレス・リストに応じて、ＵＥに対応するため基地局への故障したパスを有していないＳＧＷを選択するステップ、または、
選択されたＳＧＷが獲得されたＰＧＷへのシグナリング・プレーン・パスは故障していることを検出した後、選択されたＳＧＷによって送信された、ＰＧＷへのシグナリング・プレーン・パスの故障識別子を含むＳ１１インターフェース・メッセージを受信し、選択されたＳＧＷのシグナリング・プレーン・アドレスと獲得されたＰＧＷのシグナリング・プレーン・アドレスとの間の対応関係をＳＧＷ群とＰＧＷ群との間のシグナリング・プレーン・パス群の故障情報に記憶するステップと、
ＳＧＷ群とＰＧＷ群との間のシグナリング・プレーン・パス群の故障情報、および、ＵＥに対応するＳＧＷ群の獲得されたシグナリング・プレーン・アドレス・リストに応じて、ＵＥに対応するため獲得されたＰＧＷへの故障したパスを有していないＳＧＷを選択するステップ、または、
選択されたＳＧＷが獲得されたＰＧＷへのユーザ・プレーン・パスは故障していることを検出した後、選択されたＳＧＷによって送信された、ＰＧＷへのユーザ・プレーン・パスの故障識別子を含むＳ１１インターフェース・メッセージを受信し、選択されたＳＧＷのシグナリング・プレーン・アドレスと獲得されたＰＧＷのユーザ・プレーン・アドレスとの間の対応関係をＳＧＷ群とＰＧＷ群との間のユーザ・プレーン・パス群の故障情報に記憶するステップと、
ＳＧＷ群とＰＧＷ群との間のユーザ・プレーン・パス群の故障情報、および、ＵＥに対応するＳＧＷ群の獲得されたシグナリング・プレーン・アドレス・リストに応じて、ＵＥに対応するため獲得されたＰＧＷへの故障したパスを有していないＳＧＷを選択するステップと、
を含む。
【００２３】
基地局は、ｅＮｏｄｅＢ、ＮｏｄｅＢ、無線ネットワークコントローラ（ＲＮＣ）などでもよいことに注意を要する。基地局の位置情報は、基地局のＴＡＩもしくはＣＧＩ（Ｃｅｌｌ  Ｇｌｏｂａｌ  Ｉｎｄｉｃａｔｉｏｎ、グローバルセル識別情報）でもよく、または、東経ＸＸ度、および北緯ＸＸ度のような基地局の地理的位置情報でもよい。隣接するネットワーク要素は、基地局、ＰＧＷなどでもよい。
【００２４】
ＳＧＷの隣接するネットワーク要素への故障したパスを有していないＳＧＷは、ＵＥに対応するため選択され、すなわち、ＵＥは、選択されたＳＧＷを介してネットワーク側とのコネクションを確立することがある。
【００２５】
本発明の実施形態では、ＳＧＷ群のシグナリング・プレーン・アドレス・リストは、基地局の位置情報に応じて獲得されることがあり、次に、ＳＧＷの隣接するネットワーク要素への正常なパスを有するＳＧＷは、ＳＧＷ群のシグナリング・プレーン・アドレス・リスト、および、ＳＧＷ群とＳＧＷ群の隣接するネットワーク要素群との間のパス群の故障情報に応じて、ＵＥに対して選択され、その結果、選択されたＳＧＷとＰＧＷとの間のパスの故障の確率と、選択されたＳＧＷと基地局との間のユーザ・プレーン・パスの故障の確率とが低下する。このようにして、ＵＥに対するコネクションの１回限りの確立の成功確率が確保され、ＵＥのネットワークアクセスの時間浪費が削減され、ネットワークリソースが節約される。
【００２６】
実施形態２
本発明の実施形態は、サービング・ゲートウェイ・エンティティを選択する方法を提供する。図３に示されるように、この方法は以下のステップを含む。
【００２７】
ステップ２０１：ＵＥは、ＵＥの識別子を含むアタッチ要求（Ａｔｔａｃｈ  Ｒｅｑｕｅｓｔ）をｅＮｏｄｅＢに送信する。
【００２８】
アタッチ要求を送信する前に、ＵＥは、最初にアタッチ要求をＮＡＳ（Ｎｏｎ  Ａｃｃｅｓｓ  Ｓｔｒａｔｕｍ、ノン・アクセス・ストラタム）メッセージの形にカプセル化し、次に、このメッセージをｅＮｏｄｅＢに送信する。
【００２９】
ＵＥの識別子は、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）と、国際移動機器識別情報ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩ）などでもよい。
【００３０】
ステップ２０２：ｅＮｏｄｅＢは、アタッチ要求を受信し、アタッチ要求とｅＮｏｄｅＢの位置情報とを含む初期ＵＥメッセージ（Ｉｎｉｔｉａｌ  ＵＥ  Ｍｅｓｓａｇｅ）をＭＭＥに送信する。
【００３１】
ＳＡＥシステム内の個々のｅＮｏｄｅＢは、ＭＭＥの負荷に応じて、ｅＮｏｄｅＢへの正常なシグナリング・プレーン・パスを有するＭＭＥを事前に選択する。その上、ｅＮｏｄｅＢの位置情報は、ｅＮｏｄｅＢのＴＡＩまたはＣＧＩ（Ｃｅｌｌ  Ｇｌｏｂａｌ  Ｉｄｅｎｔｉｆｉｃａｔｉｏｎ、グローバルセル識別情報）でもよい。
【００３２】
ステップ２０３：ＭＭＥは、初期ＵＥメッセージを受信し、初期ＵＥメッセージに含まれるｅＮｏｄｅＢの位置情報に応じてＳＧＷ群のシグナリング・プレーン・アドレス・リストを獲得し、ＵＥの識別子に応じてＰＧＷのシグナリング・プレーン・アドレスを獲得する。
【００３３】
具体的には、ＭＭＥは、ＴＡＩのようなｅＮｏｄｅＢの位置情報に応じて、ｅＮｏｄｅＢの位置情報に対応するドメイン名情報を構築し、構築されたドメイン名情報に応じて、ＤＮＳサーバ（Ｄｏｍａｉｎ  Ｎａｍｅ  Ｓｙｓｔｅｍ  Ｓｅｒｖｅｒ、ドメイン名システムサーバ）から、構築されたドメイン名情報に対応する全てのＳＧＷ群のシグナリング・プレーン・アドレス群を獲得し、ＳＧＷ群のシグナリング・プレーン・アドレス・リストを形成し、ＵＥの識別子に応じてＨＳＳ（Ｈｏｍｅ  Ｓｕｂｓｃｒｉｂｅｒ  Ｓｅｒｖｅｒ、ホーム加入者サーバ）から対応するＡＰＮを獲得し、獲得されたＡＰＮに応じてＤＮＳサーバから全ての対応するＰＧＷ群のシグナリング・プレーン・アドレス群を獲得し、全てのＰＧＷ群の獲得されたシグナリング・プレーン・アドレス群からＵＥに対するＰＧＷのシグナリング・プレーン・アドレスを選択する。
【００３４】
構築されたドメイン名情報に応じてＭＭＥによって、ＤＮＳサーバから構築されたドメイン名情報に対応する全てのＳＧＷ群のシグナリング・プレーン・アドレス群を獲得する動作は、具体的には、以下の通りである。
【００３５】
ＭＭＥは、構築されたドメイン名情報を含むＤＮＳ解決要求（ＤＮＳ  Ｒｅｓｏｌｖｅ  Ｒｅｑｕｅｓｔ）をＤＮＳサーバに送信し、ＤＮＳサーバは、ＤＮＳ解決要求を受信し、ＤＮＳ解決要求に含まれるドメイン名情報に応じて全ての対応するＳＧＷ群のドメイン名を獲得し、個々のＳＧＷのシグナリング・プレーン・アドレスを獲得し、ＳＧＷ群のシグナリング・プレーン・アドレス・リストを形成するため個々のＳＧＷの獲得されたドメイン名を解決し、ＳＧＷ群のシグナリング・プレーン・アドレス・リストを含むＤＮＳ解決応答（ＤＮＳ  Ｒｅｓｏｌｖｅ  Ａｎｓｗｅｒ）を送信する。ＭＭＥは、ＤＮＳ解決応答を受信する。
【００３６】
ＴＡＩの構造は、表１に示される。ＴＡＩは、ＭＣＣ（Ｍｏｂｉｌｅ  Ｃｏｕｎｔｒｙ  Ｃｏｄｅ、モバイル・カントリー・コード）と、ＭＮＣ（Ｍｏｂｉｌｅ  Ｎｅｔｗｏｒｋ  Ｃｏｄｅ、モバイル・ネットワーク・コード）と、ＴＡＣ（Ｔｒａｃｋｉｎｇ  Ａｒｅａ  Ｃｏｄｅ、トラッキング・エリア・コード）とを含む。ＭＣＣおよびＭＮＣは、３バイトを占め、ＴＡＣは、２バイトを占める。
【００３７】
【表１】
0005687358.tif 000002
【００３８】
ドメイン名のフォーマットは、
tac-lb<TAC-low-byte>.tac-hb<TAC-high-byte>.tac.epc.mnc<MNC>.mcc<MCC>.
3gppnetwork.org
である。
【００３９】
ＭＣＣは３１１であり、ＭＮＣは９９０であり、ＴＡＣの下位バイトおよび上位バイトはそれぞれ１１および４０であると仮定する。この場合、構築されたドメイン名情報は、
tac-lb11.tac-hb40.tac.epc.mnc990.mcc311.3gppnetwork.org
である。
【００４０】
ステップ２０４：ＭＭＥは、ＳＧＷ群のシグナリング・プレーン・アドレス・リスト、ｅＮｏｄｅＢとＳＧＷ群との間のユーザ・プレーン・パス群の記憶された故障情報、および／または、ＳＧＷ群とＰＧＷ群との間のシグナリング・プレーン・パス群の故障情報に応じてＵＥに対するＳＧＷを選択する。
【００４１】
具体的には、ＭＭＥによって、ＳＧＷ群のシグナリング・プレーン・アドレス・リストと、ｅＮｏｄｅＢとＳＧＷ群との間のユーザ・プレーン・パス群の記憶された故障情報とに応じて、ＵＥに対するＳＧＷを選択するステップは、
ｅＮｏｄｅＢとＳＧＷ群との間のユーザ・プレーン・パス群の故障情報がｅＮｏｄｅＢの位置情報とＳＧＷ群のシグナリング・プレーン・アドレス群との間の対応関係を含み、ｅＮｏｄｅＢとＳＧＷ群との間のユーザ・プレーン・パス群の故障情報中の各レコードに含まれるｅＮｏｄｅＢの位置情報とＳＧＷのシグナリング・プレーン・アドレスとがｅＮｏｄｅＢとＳＧＷとの間の故障したユーザ・プレーン・パスを識別するために使用される場合に、初期ＵＥメッセージに含まれるｅＮｏｄｅＢの位置情報に応じて、ｅＮｏｄｅＢへの故障したユーザ・プレーン・パスを有するＳＧＷのシグナリング・プレーン・アドレスを見つけるためｅＮｏｄｅＢとＳＧＷ群との間のユーザ・プレーン・パス群の故障情報を検索するステップと、
ＭＭＥによって、ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群からＳＧＷのシグナリング・プレーン・アドレスを選択するステップと、
を含む。
【００４２】
ＭＭＥによって、ＳＧＷの獲得されたシグナリング・プレーン・アドレス・リスト、および、ＳＧＷ群とＰＧＷ群との間のシグナリング・プレーン・パス群の記憶された故障情報に応じて、ＵＥに対するＳＧＷを選択するステップは、
獲得されたＰＧＷのシグナリング・プレーン・アドレスに応じて、獲得されたＰＧＷのシグナリング・プレーン・アドレスに対応するＰＧＷへの故障したシグナリング・プレーン・パスを有するＳＧＷのシグナリング・プレーン・アドレスを見つけるため、ＳＧＷ群とＰＧＷ群との間のシグナリング・プレーン・パス群の故障情報を検索するステップを含み、
ここで、ＳＧＷ群とＰＧＷ群との間のパス群の故障情報は、ＳＧＷ群のシグナリング・プレーン・アドレス群とＰＧＷ群のシグナリング・プレーン・アドレス群との間の対応関係を含み、ＳＧＷ群とＰＧＷ群との間のシグナリング・プレーン・パス群の故障情報中の各レコードに含まれるＳＧＷのシグナリング・プレーン・アドレスおよびＰＧＷのシグナリング・プレーン・アドレスは、ＳＧＷとＰＧＷとの間の故障したシグナリング・プレーン・パスを識別するため使用され、
ＭＭＥによって、ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群からＳＧＷのシグナリング・プレーン・アドレスを選択するステップを含む。
【００４３】
ＭＭＥによって、ＳＧＷ群の獲得されたシグナリング・プレーン・アドレス・リスト、ＳＧＷ群とＰＧＷ群との間のシグナリング・プレーン・パス群の記憶された故障情報、および、ｅＮｏｄｅＢとＳＧＷ群との間のユーザ・プレーン・パス群の記憶された故障情報に応じてＵＥに対するＳＧＷを選択するステップは、
初期ＵＥメッセージに含まれるｅＮｏｄｅＢの位置情報に応じて、ｅＮｏｄｅＢへの故障したユーザ・プレーン・パスを有するＳＧＷのシグナリング・プレーン・アドレスを見つけるためｅＮｏｄｅＢとＳＧＷ群との間のユーザ・プレーン・パス群の故障情報を検索するステップと、
獲得されたＰＧＷのシグナリング・プレーン・アドレスに応じて、獲得されたＰＧＷのシグナリング・プレーン・アドレスに対応するＰＧＷへの故障したシグナリング・プレーン・パスを有するＳＧＷのシグナリング・プレーン・アドレスを見つけるためＳＧＷ群とＰＧＷ群との間のシグナリング・プレーン・パス群の故障情報を検索するステップと、
ＭＭＥによって、ＳＧＷ群の獲得されたシグナリング・プレーン・アドレス・リストから全ての故障したＳＧＷ群のシグナリング・プレーン・アドレス群を除去し、ＳＧＷ群のシグナリング・プレーン・アドレス・リスト中の残りのＳＧＷ群のシグナリング・プレーン・アドレス群からＳＧＷのシグナリング・プレーン・アドレスを選択するステップと、
を含む。
【００４４】
ＳＧＷを選択する方法は、ＵＥに最も接近しているＳＧＷを選択すること、または、負荷が最も低いＳＧＷを選択すること、または、ＳＧＷを無作為的に選択することなどでもよい。
【００４５】
ステップ２０５：ＭＭＥは、選択されたＳＧＷのシグナリング・プレーン・アドレスに応じて、獲得されたＰＧＷのシグナリング・プレーン・アドレスを含むＳ１１インターフェース要求メッセージを対応するＳＧＷに送信する。
【００４６】
Ｓ１１インターフェース要求メッセージは、Ｃｒｅａｔｅ  Ｓｅｓｓｉｏｎ  Ｒｅｑｕｅｓｔ（セッション要求作成）でもよい。
【００４７】
ＭＭＥがＵＥに対するＳＧＷを選択し、コネクションを確立するとき、ＭＭＥは、ＳＧＷのシグナリング・プレーン・アドレスおよびＳＧＷのユーザ・プレーン・アドレスを記憶し、ＭＭＥは、ＵＥの識別子とＵＥに対応するＳＧＷとの間の対応関係をさらに記憶し、すなわち、ＵＥに対応するＳＧＷのユーザ・プレーン・アドレスまたはＳＧＷのシグナリング・プレーン・アドレスは、ＵＥの識別子に応じて決定されることがある。その一方で、ＳＧＷのシグナリング・プレーン・アドレスは、ＳＧＷのユーザ・プレーン・アドレスに応じて同様に決定されることがあり、ＳＧＷのユーザ・プレーン・アドレスは、ＳＧＷのシグナリング・プレーン・アドレスに応じて同様に決定されることがある。
【００４８】
ステップ２０６：ＳＧＷは、Ｓ１１インターフェース要求メッセージを受信し、Ｓ１１インターフェース要求メッセージに含まれるＰＧＷのシグナリング・プレーン・アドレスに対応するＳＧＷとＰＧＷとの間のパスが故障しているか否かを決定する。
【００４９】
具体的には、図４に示されるように、ＳＧＷによって、Ｓ１１インターフェース要求メッセージに含まれるＰＧＷのシグナリング・プレーン・アドレスに対応するＳＧＷとＰＧＷとの間のパスが故障しているか否かを決定する動作は、以下のステップ（Ａ）から（Ｅ）を含むことがある。
【００５０】
（Ａ）ＳＧＷは、Ｓ１１インターフェース要求メッセージに含まれるＰＧＷのシグナリング・プレーン・アドレスに応じて、対応するシグナリング・プレーン・パスを決定し、シグナリング・プレーン・パスを介してセッション作成要求を対応するＰＧＷに転送する。
【００５１】
ＳＧＷとＰＧＷとの間のパスは、シグナリング・プレーン・パスおよびユーザ・プレーン・パスを含み、ＳＧＷは、シグナリング・プレーン・パスを介してセッション作成要求をＰＧＷに転送し、ＳＧＷとＰＧＷとの間のシグナリング・プレーン・パスが正常である場合、ＰＧＷは、セッション応答メッセージ（セッション作成応答）をプリセットされた時間内にＳＧＷに送信する。
【００５２】
（Ｂ）ＰＧＷがセッション作成要求を受信した場合、ＰＧＷは、ＰＧＷのユーザ・プレーン・アドレスを含むセッション応答メッセージをプリセットされた時間内にＳＧＷに送信する。
【００５３】
（Ｃ）ＳＧＷが、プリセットされた時間内に、ＰＧＷによって返送されたセッション応答メッセージを受信した場合、ＳＧＷは、セッション応答メッセージに含まれるユーザ・プレーン・アドレスに対応するユーザ・プレーン・パスに応じて、エコー・プローブ・メッセージをＰＧＷに送信し、ＳＧＷが、プリセットされた時間内に、ＰＧＷによって返送されたセッション応答メッセージを受信しなかった場合、ＳＧＷは、ＳＧＷとＰＧＷとの間のシグナリング・プレーン・パスが故障していると決定し、このステップは終了し、ステップ２０７が実行される。
【００５４】
ＳＧＷが、プリセットされた時間内に、ＰＧＷによって返送されたセッション応答メッセージを受信した場合、ＳＧＷは、ＳＧＷとＰＧＷとの間のシグナリング・プレーン・パスが正常であると決定する。
【００５５】
（Ｄ）ＰＧＷがＳＧＷによって送信されたエコー・プローブ・メッセージを受信した場合、ＰＧＷは、プリセットされた時間内に、エコー応答メッセージをＳＧＷに送信する。
【００５６】
（Ｅ）ＳＧＷが、プリセットされた時間内に、ＰＧＷによって返送されたエコー応答メッセージを受信した場合、ＳＧＷは、ＳＧＷとＰＧＷとの間のユーザ・プレーン・パスが正常であると決定し、ＳＧＷが、プリセットされた時間内に、ＰＧＷによって返送されたエコー応答メッセージを受信しなかった場合、ＳＧＷは、ＳＧＷへのユーザ・プレーン・パスが故障していると決定し、ステップ２０７が実行される。
【００５７】
ステップ２０７：ＳＧＷは、Ｓ１１インターフェース・メッセージをＭＭＥに送信し、ＳＧＷとＰＧＷとの間のシグナリング・プレーン・パスおよびユーザ・プレーン・パスが共に正常である場合、Ｓ１１インターフェース・メッセージは、ＰＧＷへのパスが正常であることを指示する識別子を含み、ＳＧＷおよびＰＧＷのユーザ・プレーン・アドレス群を含む。
【００５８】
Ｓ１１インターフェース・メッセージは、セッション作成応答でもよい。
【００５９】
ＳＧＷとＰＧＷとの間のシグナリング・プレーン・パスが故障している場合、Ｓ１１インターフェース・メッセージは、ＰＧＷへのシグナリング・プレーン・パスの故障識別子を含み、ＳＧＷとＰＧＷとの間のユーザ・プレーン・パスが故障している場合、Ｓ１１インターフェース・メッセージは、ＰＧＷへのユーザ・プレーン・パスの故障識別子とＰＧＷのユーザ・プレーン・アドレスとを含む。
【００６０】
ステップ２０８：ＭＭＥは、ＳＧＷによって返送されたＳ１１インターフェース・メッセージを受信し、Ｓ１１インターフェース・メッセージがＳＧＷとＰＧＷとの間のパスが正常であることを指示する識別子と、ＳＧＷおよびＰＧＷのユーザ・プレーン・アドレス群とを含む場合、ＭＭＥは、選択されたＳＧＷのユーザ・プレーン・アドレスを含むＳ１−ＡＰ応答メッセージをｅＮｏｄｅＢに送信する。
【００６１】
Ｓ１−ＡＰ応答メッセージは、Ｉｎｉｔｉａｌ  Ｃｏｎｔｅｘｔ  Ｓｅｔｕｐ  Ｒｅｑｕｅｓｔでもよい。
【００６２】
Ｓ１１インターフェース・メッセージがＳＧＷとＰＧＷとの間のシグナリング・プレーン・パスの故障識別子を含む場合、ＭＭＥは、ＳＧＷのシグナリング・プレーン・アドレスとＰＧＷのシグナリング・プレーン・アドレスとの間の対応関係をＳＧＷ群とＰＧＷ群との間のシグナリング・プレーン・パス群の故障情報に記憶し、次に、残りの選択されていないＳＧＷ群のシグナリング・プレーン・アドレス群からＵＥに対するＳＧＷのシグナリング・プレーン・アドレスを選択し、ステップ２０５へ戻る。
【００６３】
Ｓ１１インターフェース・メッセージがＳＧＷとＰＧＷとの間のユーザ・プレーン・パスの故障識別子と、ＳＧＷおよびＰＧＷのユーザ・プレーン・アドレス群とを含む場合、ＭＭＥは、ＳＧＷのユーザ・プレーン・アドレスに応じて、ＳＧＷのシグナリング・プレーン・アドレスを探索し、ＳＧＷのシグナリング・プレーン・アドレスとＰＧＷのユーザ・プレーン・アドレスとの対応関係をＳＧＷ群とＰＧＷ群との間のユーザ・プレーン・パス群の故障情報に記憶し、残りの選択されていないＳＧＷ群のシグナリング・プレーン・アドレス群からＵＥに対するＳＧＷのシグナリング・プレーン・アドレスを選択し、ステップ２０５へ戻る。
【００６４】
ステップ２０９：ｅＮｏｄｅＢは、Ｓ１−ＡＰ応答メッセージを受信し、Ｓ１−ＡＰ応答メッセージに含まれるＳＧＷのユーザ・プレーン・アドレスに応じて、ｅＮｏｄｅＢと対応するＳＧＷとの間のユーザ・プレーン・パスが故障しているか否かを決定する。
【００６５】
具体的には、ｅＮｏｄｅＢは、Ｓ１−ＡＰ応答メッセージを受信し、Ｓ１−ＡＰ応答メッセージに含まれるＳＧＷのユーザ・プレーン・アドレスに応じてエコー・プローブ・メッセージを対応するＳＧＷに送信し、ｅＮｏｄｅＢが、プリセットされた時間内に、ＳＧＷによって返送されたエコー応答メッセージを受信しなかった場合、ｅＮｏｄｅＢは、ｅＮｏｄｅＢとＳＧＷとの間のユーザ・パスが故障していると決定し、そうではない場合、ｅＮｏｄｅＢとＳＧＷとの間のユーザ・プレーン・パスが正常であると決定する。
【００６６】
ステップ２１０：ｅＮｏｄｅＢがｅＮｏｄｅＢとＳＧＷとの間のユーザ・プレーン・パスは正常であると決定した場合、ｅＮｏｄｅＢは、ＭＭＥに通知するため、ｅＮｏｄｅＢとＳＧＷとの間のユーザ・プレーン・パスが正常であることを指示する識別子を含むＳ１−ＡＰメッセージを送信する。
【００６７】
ｅＮｏｄｅＢがｅＮｏｄｅＢとＳＧＷとの間のユーザ・プレーン・パスは故障していると決定した場合、ｅＮｏｄｅＢは、ＭＭＥに通知するため、ｅＮｏｄｅＢとＳＧＷとの間のユーザ・プレーン・パスの故障識別子を含むＳ１−ＡＰメッセージを送信する。
【００６８】
相応して、Ｓ１−ＡＰメッセージを受信した後、ＭＭＥは、ｅＮｏｄｅＢの位置情報とＳＧＷのシグナリング・プレーン・アドレスとの間の対応関係をｅＮｏｄｅＢとＳＧＷ群との間のユーザ・プレーン・パス群の故障情報に記憶し、残りの選択されていないＳＧＷ群のシグナリング・プレーン・アドレス群からＵＥに対するＳＧＷのシグナリング・プレーン・アドレスを選択し、ステップ２０５へ戻る。
【００６９】
上記ステップにおいて、ＭＭＥによって受信されたＳ１−ＡＰメッセージは、ＵＥの識別子を含む。ＭＭＥは、ユーザ機器の識別子に応じて、ＵＥに対して選択されたＳＧＷを決定することがあり、その結果、ＳＧＷのシグナリング・プレーン・アドレスが見つけられることがある。
【００７０】
ＵＥがＳＧＷを選択し、ＭＭＥを介してＰＧＷを獲得した後、ＵＥは、ネットワークとのコネクションを確立し、次に、通信を実行するため、確立されたコネクションを使用することがある。
【００７１】
本発明の実施形態では、ＭＭＥは、ｅＮｏｄｅＢの位置情報に応じて、全ての対応するＳＧＷ群のシグナリング・プレーン・アドレス群を獲得し、ｅＮｏｄｅＢとＳＧＷ群との間のユーザ・プレーン・パス群の故障情報に応じて、ｅＮｏｄｅＢへの故障したユーザ・プレーン・パスを有するＳＧＷのシグナリング・プレーン・アドレスを探索し、ＳＧＷ群とＰＧＷ群との間のシグナリング・プレーン・パス群の故障情報に応じて、獲得されたＰＧＷへの故障したシグナリング・プレーン・パスを有するＳＧＷのシグナリング・プレーン・アドレスを探索し、ＳＧＷ群の獲得されたシグナリング・プレーン・アドレス・リストからＳＧＷ群の見つけられたシグナリング・プレーン・アドレスを除去し、残りのＳＧＷ群のシグナリング・プレーン・アドレスからＵＥに対するＳＧＷのシグナリング・プレーン・アドレスを選択し、その結果、選択されたＳＧＷとＰＧＷとの間のパスの故障確率と、選択されたＳＧＷとｅＮｏｄｅＢとの間のユーザ・プレーン・パスの故障確率とが低下させられる。このようにして、ＵＥに対するコネクションの１回限りの確立の成功確率が確保され、ＵＥのネットワークアクセスの時間浪費が削減され、ネットワークリソースが節約される。
【００７２】
実施形態３
本発明の実施形態は、サービング・ゲートウェイ・エンティティを選択する方法を提供する。ＵＥは、最初に、ＳＧＷを選択するため実施形態１の方法を使用し、次に、ネットワークとのコネクションを確立し、通信を実行する。通信プロセスでは、ＵＥは、トラッキングエリアの間でハンドオーバされ、すなわち、ＵＥは、旧トラッキングエリアから新トラッキングエリアにハンドオーバされ、ＵＥは、旧ｅＮｏｄｅＢから新ｅＮｏｄｅＢにハンドオーバされ、旧ＭＭＥから新ＭＭＥにハンドオーバされる。この場合、新ＭＭＥは、ＵＥに対するＳＧＷを再選択することが必要である。図５を参照すると、この方法は、以下のステップを含む。
【００７３】
ステップ３０１：ＵＥは、トラッキングエリア更新要求を新ｅＮｏｄｅＢに送信する。
【００７４】
トラッキングエリア更新要求は、ＴＡＵ要求（Ｔｒａｃｋｉｎｇ  Ａｒｅａ  Ｕｐｄａｔｅ  ｒｅｑｕｅｓｔ、トラッキングエリア更新要求）でもよい。
【００７５】
ステップ３０２：新ｅＮｏｄｅＢは、トラッキングエリア更新要求を受信し、トラッキングエリア更新要求および新ｅＮｏｄｅＢの位置情報を含むＳ１−ＡＰメッセージを新ＭＭＥに送信する。
【００７６】
ＵＥがＥＣＭ−ＩＤＬＥ（ＥＰＳＣｏｎｎｅｃｔｉｖｉｔｙＭａｎａｇｅｍｅｎｔ−ＩＤＬＥ、ＥＰＳ（Ｅｖｏｌｖｅｄ  Ｐａｃｋｅｔ  Ｓｙｓｔｅｍ、進化型パケットシステム）接続性管理アイドル）ユーザである場合、ｅＮｏｄｅＢによって使用されるＳ１−ＡＰメッセージは、初期ＵＥメッセージであり、ＵＥがＥＣＭ−ＣＯＮＮＥＣＴ（ＥＰＳＣｏｎｅｃｔｉｖｉｔｙＭａｎａｇｅｍｅｎｔ−ＣＯＮＮＥＣＴ、ＥＰＳ接続性管理コネクト）ユーザである場合、ｅＮｏｄｅＢによって使用されるＳ１−ＡＰメッセージは、アップリンクＮＡＳトランスポートである。
【００７７】
ステップ３０３：新ＭＭＥは、Ｓ１−ＡＰメッセージを受信し、コンテキスト要求を旧移動管理エンティティに送信する。
【００７８】
コンテキスト要求は、Ｃｏｎｔｅｘｔ  Ｒｅｑｕｅｓｔでもよい。
【００７９】
旧移動管理エンティティは、ＭＭＥ、Ｓ４  ＳＧＳＮ、またはＧｎＧＰ  ＳＧＳＮを含む旧トラッキングエリア内の移動管理エンティティである。
【００８０】
ステップ３０４：旧移動管理エンティティは、コンテキスト要求を受信し、旧ＭＭＥによって選択されたＰＷＧのシグナリング・プレーン・アドレスおよびユーザ・プレーン・アドレスを含むコンテキスト応答メッセージを新ＭＭＥに送信する。
【００８１】
コンテキスト応答メッセージは、Ｃｏｎｔｅｘｔ  Ｒｅｓｐｏｎｓｅでもよい。
【００８２】
ステップ３０５：新ＭＭＥは、コンテキスト応答メッセージを受信し、Ｓ１−ＡＰメッセージ中の新ｅＮｏｄｅＢの位置情報に応じてＳＧＷ群のシグナリング・プレーン・アドレス・リストを獲得する。
【００８３】
具体的には、新ＭＭＥによってＳＧＷ群のシグナリング・プレーン・アドレス・リストを獲得する具体的なプロセスは、実施形態２のステップ２０３におけるＭＭＥによるＳＧＷ群のシグナリング・プレーン・アドレス・リストを獲得するプロセスと同じであり、ここではこれ以上説明しない。
【００８４】
ステップ３０６：新ＭＭＥは、ＳＧＷ群のシグナリング・プレーン・アドレス・リスト、ｅＮｏｄｅＢとＳＧＷ群との間のユーザ・プレーン・パス群の記憶された故障情報、ＳＧＷ群とＰＧＷ群との間のシグナリング・プレーン・パス群の故障情報および／またはＳＧＷ群とＰＧＷ群との間のユーザ・プレーン・パス群の故障情報に応じて、ＵＥに対する新ＳＧＷを選択する。
【００８５】
具体的には、新ＭＭＥによって、ＳＧＷ群のシグナリング・プレーン・アドレス・リスト、および、ｅＮｏｄｅＢとＳＧＷ群との間のユーザ・プレーン・パス群の記憶された故障情報に応じて、ＵＥに対する新ＳＧＷを選択するステップは、
新ｅＮｏｄｅＢの位置情報に応じて、新ｅＮｏｄｅＢへの故障したユーザ・プレーン・パスを有するＳＧＷのシグナリング・プレーン・アドレスを見つけるためｅＮｏｄｅＢとＳＧＷ群との間のユーザ・プレーン・パス群の故障情報を検索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群から新ＳＧＷのシグナリング・プレーン・アドレスを選択するステップと、
を含む。
【００８６】
新ＭＭＥによって、ＳＧＷ群のシグナリング・プレーン・アドレス・リスト、および、ＳＧＷ群とＰＧＷ群との間のシグナリング・プレーン・パス群の記憶された故障情報に応じて、ＵＥに対する新ＳＧＷを選択するステップは、
コンテキスト要求メッセージに含まれるＰＧＷのシグナリング・プレーン・アドレスに応じて、対応するＰＧＷへの故障したシグナリング・プレーン・パスを有するＳＧＷのシグナリング・プレーン・アドレスを見つけるためＳＧＷ群とＰＧＷ群との間のシグナリング・プレーン・パス群の故障情報を検索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群から新ＳＧＷのシグナリング・プレーン・アドレスを選択するステップと、
を含む。
【００８７】
新ＭＭＥによって、ＳＧＷ群のシグナリング・プレーン・アドレス・リスト、および、ＳＧＷ群とＰＧＷ群との間のシグナリング・プレーン・パス群の記憶された故障情報に応じて、ＵＥに対する新ＳＧＷを選択するステップは、
コンテキスト要求メッセージに含まれるＰＧＷのユーザ・プレーン・アドレスに応じて、対応するＰＧＷへの故障したユーザ・プレーン・パスを有するＳＧＷのシグナリング・プレーン・アドレスを見つけるためＳＧＷ群とＰＧＷ群との間のシグナリング・プレーン・パス群の故障情報を検索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群から新ＳＧＷのシグナリング・プレーン・アドレスを選択するステップと、
を含む。
【００８８】
ステップ３０７：新ＭＭＥは、選択された新ＳＧＷのシグナリング・プレーン・アドレスに応じて、コンテキスト応答メッセージに含まれるＰＧＷのシグナリング・プレーン・アドレスを含むＳ１１インターフェース要求メッセージを対応する新ＳＧＷに送信する。
【００８９】
ステップ３０８：新ＳＧＷは、Ｓ１１インターフェース要求メッセージを受信し、新ＳＧＷとＳ１１インターフェース要求メッセージに含まれるＰＧＷのシグナリング・プレーン・アドレスに対応しているＰＧＷとの間のパスが故障しているか否かを決定する。
【００９０】
具体的には、新ＳＧＷによって、新ＳＧＷとＰＧＷとの間のパスが故障しているか否かを決定するプロセスは、ＳＧＷによって、実施形態２のステップ２０６においてＳＧＷとＰＧＷとの間のパスが故障しているか否かを決定するプロセスと同じであり、ここではこれ以上説明しない。
【００９１】
ステップ３０９：新ＳＧＷは、Ｓ１１インターフェース・メッセージを新ＭＭＥに送信し、新ＳＧＷとＰＧＷとの間のパスが正常である場合、Ｓ１１インターフェース・メッセージは、ＰＧＷへのパスが正常であることを指示する識別子と、新ＳＧＷのユーザ・プレーン・アドレスとを含む。
【００９２】
新ＳＧＷとＰＧＷとの間のシグナリング・プレーン・パスが故障している場合、Ｓ１１インターフェース・メッセージは、新ＳＧＷとＰＧＷとの間のシグナリング・プレーン・パスの故障識別子を含み、新ＳＧＷとＰＧＷとの間のユーザ・プレーン・パスが故障している場合、Ｓ１１インターフェース・メッセージは、新ＳＧＷとＰＧＷとの間のユーザ・プレーン・パスの故障識別子を含む。
【００９３】
ステップ３１０：新ＭＭＥは、新ＳＧＷによって返送されたＳ１１インターフェース・メッセージを受信し、Ｓ１１インターフェース・メッセージがパスは正常であることを指示する識別子を含む場合、新ＭＭＥは、新ＳＧＷのユーザ・プレーン・アドレスを含むＳ１−ＡＰ応答メッセージをｅＮｏｄｅＢに送信する。
【００９４】
Ｓ１１インターフェース・メッセージが新ＳＧＷとＰＧＷとの間のシグナリング・プレーン・パスの故障識別子を含む場合、新ＭＭＥは、新ＳＧＷのシグナリング・プレーン・アドレスとＰＧＷのシグナリング・プレーン・アドレスとの間の対応関係をＳＧＷ群とＰＧＷ群との間のシグナリング・パス群の故障情報に記憶し、次に、残りの選択されていないＳＧＷ群のシグナリング・プレーン・アドレスからＵＥに対する新ＳＧＷのシグナリング・プレーン・アドレスを再選択し、ステップ３０７へ戻る。
【００９５】
Ｓ１１インターフェース・メッセージが新ＳＧＷとＰＧＷとの間のユーザ・プレーン・パスの故障識別子を含む場合、新ＭＭＥは、新ＳＧＷのシグナリング・プレーン・アドレスとＰＧＷのユーザ・プレーン・アドレスとの間の対応関係をＳＧＷ群とＰＧＷ群との間のユーザ・プレーン・パス群の故障情報に記憶し、次に、残りの選択されていないＳＧＷ群のシグナリング・プレーン・アドレス群からＵＥに対する新ＳＧＷのシグナリング・プレーン・アドレスを再選択し、ステップ３０７へ戻る。
【００９６】
ステップ３１１：新ｅＮｏｄｅＢは、Ｓ１−ＡＰ応答メッセージを受信し、Ｓ１−ＡＰ応答メッセージに含まれる新ＳＧＷのユーザ・プレーン・アドレスに応じて、新ｅＮｏｄｅＢと新ＳＧＷとの間のユーザ・プレーン・パスが故障しているか否かを決定する。
【００９７】
具体的には、新ｅＮｏｄｅＢによって、新ｅＮｏｄｅＢと新ＳＧＷとの間のユーザ・プレーン・パスが故障しているか否かを決定するプロセスは、ｅＮｏｄｅＢによって、実施形態２のステップ２０９においてｅＮｏｄｅＢとＳＧＷとの間のユーザ・プレーン・パスが故障しているか否かを決定するプロセスと同じであり、ここではこれ以上説明しない。
【００９８】
ステップ３１２：新ｅＮｏｄｅＢが新ｅＮｏｄｅＢと新ＳＧＷとの間のユーザ・プレーン・パスは正常であると決定した場合、新ｅＮｏｄｅＢは、新ＭＭＥに通知するため、新ｅＮｏｄｅＢと新ＳＧＷとの間のユーザ・プレーン・パスが正常であることを指示する識別子を含むＳ１−ＡＰメッセージを送信する。
【００９９】
新ｅＮｏｄｅＢが新ｅＮｏｄｅＢと新ＳＧＷとの間のユーザ・プレーン・パスは故障していると決定した場合、新ｅＮｏｄｅＢは、新ＭＭＥに通知するため、新ｅＮｏｄｅＢと新ＳＧＷとの間のユーザ・プレーン・パスの故障識別子を含むＳ１−ＡＰメッセージを送信する。
【０１００】
相応して、新ＭＭＥは、Ｓ１−ＡＰメッセージを受信し、新ｅＮｏｄｅＢの位置情報と選択された新ＳＧＷのＩＤとの間の対応関係をｅＮｏｄｅＢとＳＧＷ群との間のユーザ・プレーン・パス群の故障情報に記憶し、次に、残りの選択されていないＳＧＷ群のシグナリング・プレーン・アドレス群からＵＥに対する新ＳＧＷのシグナリング・プレーン・アドレスを再選択し、ステップ３０７へ戻る。
【０１０１】
新ＳＧＷがＵＥに対して選択された後、ＵＥは、ネットワークとのコネクションを確立し、次に、通信を実行するため確立されたコネクションを使用することがある。
【０１０２】
本発明の実施形態では、新ＭＭＥは、新ｅＮｏｄｅＢの位置情報に応じてＳＧＷ群のシグナリング・プレーン・アドレス・リストを獲得し、次に、ｅＮｏｄｅＢとＳＧＷ群との間のユーザ・プレーン・パス群の故障情報に応じて、新ｅＮｏｄｅＢへの故障したユーザ・プレーン・パスを有するＳＧＷのＩＤを見つけ、ＳＧＷ群とＰＧＷ群との間のシグナリング・プレーン・パス群の故障情報に応じて、獲得されたＰＧＷへの故障したシグナリング・プレーン・パスを有するＳＧＷのシグナリング・プレーン・アドレスを見つけ、ＳＧＷ群とＰＧＷ群との間のユーザ・プレーン・パス群の故障情報に応じて、獲得されたＰＧＷへの故障したユーザ・プレーン・パスを有するＳＧＷのユーザ・プレーン・アドレスを見つけ、ＳＧＷ群の獲得されたシグナリング・プレーン・アドレスからＳＧＷ群の見つけられたシグナリング・プレーン・アドレス群を除去し、残りのＳＧＷ群のシグナリング・プレーン・アドレス群からＵＥに対する新ＳＧＷのシグナリング・プレーン・アドレスを選択し、その結果、選択された新ＳＧＷとＰＧＷとの間のパスの故障確率、および、選択された新ＳＧＷと新ｅＮｏｄｅＢとの間のユーザ・プレーン・パスの故障確率が低下させられる。このようにして、ＵＥに対するコネクションの１回限りの確立の成功確率が確保され、ＵＥのネットワークアクセスの時間浪費が削減され、ネットワークリソースが節約される。
【０１０３】
実施形態４
本発明の実施形態は、サービング・ゲートウェイ・エンティティを選択する方法を提供する。ＵＥは、最初に、ＳＧＷを選択するため実施形態１の方法を使用し、次に、ネットワークとのコネクションを確立し、通信を実行する。通信プロセスでは、ＵＥは、サービスエリアの間でハンドオーバされ、すなわち、ＵＥは、旧サービスエリアから新サービスエリアにハンドオーバされ、ＵＥは、旧サービスエリアの旧ｅＮｏｄｅＢから新サービスエリアの新ターゲットｅＮｏｄｅＢにハンドオーバされ、旧サービスエリアの旧ＭＭＥから新サービスエリアの新ターゲットＭＭＥにハンドオーバされる。この場合、ＵＥは、新ターゲットＳＧＷを再選択する必要がある。図６を参照すると、この方法は、以下のステップを含む。
【０１０４】
ステップ４０１：ＵＥは、ターゲットｅＮｏｄｅＢの位置情報を含むハンドオーバ開始メッセージ（Ｈａｎｄｏｖｅｒ  Ｉｎｉｔｉａｔｉｏｎ）を旧アクセス側エンティティに送信する。
【０１０５】
ＵＥがサービスエリアの間でハンドオーバされるとき、ＵＥは、新サービスエリア内の新ターゲットｅＮｏｄｅＢにアクセスし、ターゲットｅＮｏｄｅＢの位置情報を獲得する。
【０１０６】
旧アクセス側エンティティは、ｅＮｏｄｅＢ、ＲＮＣ（Ｒａｄｉｏ  Ｎｅｔｗｏｒｋ  Ｃｏｎｔｒｏｌｌｅｒ、無線ネットワークコントローラ）、またはＢＳＳ（Ｂａｓｅ  Ｓｔａｔｉｏｎ  Ｓｙｂ−ｓｙｓｔｅｍ、基地局サブシステム）を含む旧サービスエリア内のアクセス側エンティティである。
【０１０７】
ステップ４０２：旧アクセス側エンティティは、ハンドオーバ開始メッセージを受信し、ハンドオーバ開始メッセージに含まれるターゲットｅＮｏｄｅＢの位置情報を含むハンドオーバ要求受付メッセージを旧移動管理エンティティに送信する。
【０１０８】
旧移動管理エンティティは、ＭＭＥ、Ｓ４  ＳＧＳＮ、またはＧｎＧｐ  ＳＧＳＮを含む旧サービスエリア内の移動管理エンティティである。
【０１０９】
ステップ４０３：旧移動管理エンティティは、ハンドオーバ要求受付メッセージを受信し、ターゲットｅＮｏｄｅＢの位置情報と旧ＭＭＥによって獲得されたＰＧＷのシグナリング・プレーン・アドレスおよびユーザ・プレーン・アドレスとを含むリロケーション転送要求（Ｆｏｒｗａｒｄ  Ｒｅｌｏｃａｔｉｏｎ  Ｒｅｑｕｅｓｔ）をターゲットＭＭＥに送信する。
【０１１０】
ステップ４０４：ターゲットＭＭＥは、リロケーション転送要求を受信し、リロケーション転送要求に含まれるターゲットｅＮｏｄｅＢの位置情報に応じてＳＧＷ群のシグナリング・プレーン・アドレス・リストを獲得する。
【０１１１】
具体的には、ターゲットｅＮｏｄｅＢの位置情報に応じてターゲットＭＭＥによってＳＧＷ群のシグナリング・プレーン・アドレス・リストを獲得するプロセスは、実施形態２のステップ２０３におけるｅＮｏｄｅＢによるＳＧＷ群のシグナリング・プレーン・アドレス・リストを獲得するプロセスと同じであり、ここではこれ以上説明しない。
【０１１２】
ステップ４０５：ターゲットＭＭＥは、ＳＧＷ群のシグナリング・プレーン・アドレス・リストと、ｅＮｏｄｅＢとＳＧＷ群との間のユーザ・プレーン・パス群の記憶された故障情報と、ＳＧＷ群とＰＧＷ群との間のシグナリング・プレーン・パス群の故障情報および／またはＳＧＷ群とＰＧＷ群との間のユーザ・プレーン・パス群の故障情報とに応じて、ＵＥに対するターゲットＳＧＷのシグナリング・プレーン・アドレスを選択する。
【０１１３】
具体的には、ターゲットＭＭＥによって、ＳＧＷ群のシグナリング・プレーン・アドレス・リストと、ｅＮｏｄｅＢとＳＧＷ群との間のユーザ・プレーン・パス群の記憶された故障情報とに応じて、ＵＥに対するターゲットＳＧＷを選択するステップは、
ターゲットｅＮｏｄｅＢの位置情報に応じて、ターゲットｅＮｏｄｅＢへの故障したユーザ・プレーン・パスを有するＳＧＷのシグナリング・プレーン・アドレスを見つけるためｅＮｏｄｅＢとＳＧＷ群との間のユーザ・プレーン・パス群の故障情報を検索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群からターゲットＳＧＷのシグナリング・プレーン・アドレスを選択するステップと、
を含む。
【０１１４】
ターゲットＭＭＥによって、ＳＧＷ群のシグナリング・プレーン・アドレス・リストおよびＳＧＷ群とＰＧＷ群との間のシグナリング・プレーン・パス群の記憶された故障情報に応じて、ＵＥに対するターゲットＳＧＷを選択するステップは、
リロケーション転送要求に含まれるＰＧＷのシグナリング・プレーン・アドレスに応じて、対応するＰＧＷへの故障したシグナリング・プレーン・パスを有するＳＧＷのシグナリング・プレーン・アドレスを見つけるためＳＧＷ群とＰＧＷ群との間のシグナリング・プレーン・パス群の故障情報を検索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群からターゲットＳＧＷのシグナリング・プレーン・アドレスを選択するステップと、
を含む。
【０１１５】
ターゲットＭＭＥによって、ＳＧＷ群のシグナリング・プレーン・アドレス・リストおよびＳＧＷ群とＰＧＷ群との間のユーザ・プレーン・パス群の記憶された故障情報に応じてＵＥに対するターゲットＳＧＷを選択するステップは、
リロケーション転送要求に含まれるＰＧＷのシグナリング・プレーン・アドレスに応じて、対応するＰＧＷへの故障したユーザ・プレーン・パスを有するＳＧＷのシグナリング・プレーン・アドレスを見つけるためＳＧＷ群とＰＧＷ群との間のユーザ・プレーン・パス群の故障情報を探索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群からターゲットＳＧＷのシグナリング・プレーン・アドレスを選択するステップと、
を含む。
【０１１６】
ステップ４０６：ターゲットＭＭＥは、選択されたターゲットＳＧＷのシグナリング・プレーン・アドレスに応じて、リロケーション転送要求に含まれるＰＧＷのシグナリング・プレーン・アドレスを含むＳ１１インターフェース要求メッセージを対応するターゲットＳＧＷに送信する。
【０１１７】
ステップ４０７：ターゲットＳＧＷは、Ｓ１１インターフェース要求メッセージを受信し、ターゲットＳＧＷとＳ１１インターフェース要求メッセージに含まれるＰＧＷのシグナリング・プレーン・アドレスに対応しているＰＧＷとの間のパスが故障しているか否かを決定する。
【０１１８】
具体的には、ターゲットＳＧＷによって、ターゲットＳＧＷとＰＧＷとの間のパスが故障しているか否かを決定するプロセスは、ＳＧＷによって、実施形態２のステップ２０６においてＳＧＷとＰＧＷとの間のパスが故障しているか否かを決定するプロセスと同じであり、ここではこれ以上説明しない。
【０１１９】
ステップ４０８：ターゲットＳＧＷは、Ｓ１１インターフェース・メッセージをターゲットＭＭＥに送信し、ターゲットＳＧＷとＰＧＷとの間のユーザ・プレーン・パスおよびシグナリング・プレーン・パスが共に正常である場合、Ｓ１１インターフェース・メッセージは、ターゲットＳＧＷとＰＧＷとの間のパスが正常であるという識別子と、ターゲットＳＧＷのユーザ・プレーン・アドレスとを含む。
【０１２０】
ターゲットＳＧＷとＰＧＷとの間のシグナリング・プレーン・パスが故障している場合、Ｓ１１インターフェース・メッセージは、ターゲットＳＧＷとＰＧＷとの間のシグナリング・プレーン・パスの故障識別子を含み、ターゲットＳＧＷとＰＧＷとの間のユーザ・プレーン・パスが故障している場合、Ｓ１１インターフェース・メッセージは、ターゲットＳＧＷとＰＧＷとの間のユーザ・プレーン・パスの故障識別子を含む。
【０１２１】
ステップ４０９：ターゲットＭＭＥは、ターゲットＳＧＷによって返送されたＳ１１インターフェース・メッセージを受信し、Ｓ１１インターフェース・メッセージがＳＧＷとＰＧＷとの間のパスは正常であることを指示する識別子を含む場合、ターゲットＭＭＥは、ターゲットＳＧＷのユーザ・プレーン・アドレスを含むＳ１−ＡＰ応答メッセージをターゲットｅＮｏｄｅＢに送信する。
【０１２２】
Ｓ１１インターフェース・メッセージがＳＧＷとＰＧＷとの間のシグナリング・プレーン・パスの故障識別子を含む場合、ターゲットＭＭＥは、ターゲットＳＧＷのシグナリング・プレーン・アドレスとＰＧＷのシグナリング・プレーン・アドレスとの間の対応関係をＳＧＷ群とＰＧＷ群との間のシグナリング・プレーン・パス群の故障情報に記憶し、次に、残りの選択されていないＳＧＷ群のシグナリング・プレーン・アドレス群からＵＥに対するＳＧＷのシグナリング・プレーン・アドレスを再選択し、ステップ４０６へ戻る。
【０１２３】
Ｓ１１インターフェース・メッセージがＳＧＷとＰＧＷとの間のユーザ・プレーン・パスの故障識別子を含む場合、ターゲットＭＭＥは、ターゲットＳＧＷのシグナリング・プレーン・アドレスとＰＧＷのユーザ・プレーン・アドレスとの間の対応関係をＳＧＷ群とＰＧＷ群との間のユーザ・プレーン・パス群の故障情報に記憶し、残りの選択されていないＳＧＷ群のシグナリング・プレーン・アドレス群からＵＥに対するＳＧＷのシグナリング・プレーン・アドレスを再選択し、次に、ステップ４０６へ戻る。
【０１２４】
ステップ４１０：ターゲットｅＮｏｄｅＢは、Ｓ１−ＡＰ応答メッセージを受信し、Ｓ１−ＡＰ応答メッセージに含まれるターゲットＳＧＷのユーザ・プレーン・アドレスに応じて、ターゲットｅＮｏｄｅＢとターゲットＳＧＷとの間のユーザ・プレーン・パスが故障しているか否かを決定する。
【０１２５】
具体的には、ターゲットｅＮｏｄｅＢによって、ターゲットｅＮｏｄｅＢとターゲットＳＧＷとの間のユーザ・プレーン・パスが故障しているか否かを決定するプロセスは、ｅＮｏｄｅＢによって、実施形態２のステップ２０９においてｅＮｏｄｅＢとＳＧＷとの間のユーザ・プレーン・パスが故障しているか否かを決定するプロセスと同じであり、ここではこれ以上説明しない。
【０１２６】
ステップ４１１：ターゲットｅＮｏｄｅＢがターゲットｅＮｏｄｅＢとターゲットＳＧＷとの間のユーザ・プレーン・パスは正常であると決定した場合、ターゲットｅＮｏｄｅＢは、ターゲットＭＭＥに通知するため、ターゲットｅＮｏｄｅＢとターゲットＳＧＷとの間のユーザ・プレーン・パスが正常であることを指示する識別子を含むＳ１−ＡＰメッセージを送信する。
【０１２７】
ターゲットｅＮｏｄｅＢがターゲットｅＮｏｄｅＢとターゲットＳＧＷとの間のユーザ・プレーン・パスは故障していると決定した場合、ターゲットｅＮｏｄｅＢは、ターゲットＭＭＥに通知するため、ターゲットｅＮｏｄｅＢとターゲットＳＧＷとの間のユーザ・プレーン・パスの故障識別子を含むＳ１−ＡＰメッセージを送信する。
【０１２８】
相応して、ターゲットＭＭＥは、Ｓ１−ＡＰメッセージを受信し、ターゲットｅＮｏｄｅＢの位置情報とターゲットＳＧＷのシグナリング・プレーン・アドレスとの間の対応関係をｅＮｏｄｅＢとＳＧＷ群との間のユーザ・プレーン・パス群の故障情報に記憶し、残りの選択されていないＳＧＷ群のシグナリング・プレーン・アドレス群からＵＥに対する新ターゲットＳＧＷのシグナリング・プレーン・アドレスを再選択し、ステップ４０６へ戻る。
【０１２９】
本発明の実施形態では、ターゲットＭＭＥは、ターゲットｅＮｏｄｅＢの位置情報に応じて、ＳＧＷ群のシグナリング・プレーン・アドレス・リストを獲得し、次に、ｅＮｏｄｅＢとＳＧＷ群との間のユーザ・プレーン・パス群の故障情報に応じて、ターゲットｅＮｏｄｅＢへの故障したユーザ・プレーン・パスを有するＳＧＷのシグナリング・プレーン・アドレスを見つけ、ＳＧＷ群とＰＧＷ群との間のパス群の故障情報に応じて、獲得されたＰＧＷへの故障したシグナリング・プレーン・パスを有するＳＧＷのシグナリング・プレーン・アドレスを見つけ、ＳＧＷ群とＰＧＷ群との間のユーザ・パス群の故障情報に応じて、獲得されたＰＧＷへの故障したユーザ・プレーン・パスを有するＳＧＷのシグナリング・プレーン・アドレスを見つけ、ＳＧＷ群の獲得されたシグナリング・プレーン・アドレス・リストからＳＧＷ群の見つけられたシグナリング・プレーン・アドレス群を除去し、残りのＳＧＷ群のシグナリング・プレーン・アドレス群からＵＥに対するターゲットＳＧＷのシグナリング・プレーン・アドレスを選択し、その結果、選択されたターゲットＳＧＷとＰＧＷとの間のパスの故障確率、および、選択されたターゲットＳＧＷとターゲットｅＮｏｄｅＢとの間のユーザ・プレーン・パスの故障確率が低下させられる。このようにして、ＵＥに対するコネクションの１回限りの確立の成功確率が確保され、ＵＥのネットワークアクセスの時間浪費が削減され、ネットワークリソースが節約される。
【０１３０】
実施形態５
本発明の実施形態は、サービング・ゲートウェイ・エンティティを選択する方法を提供する。ＵＥは、ＳＧＷを選択するため実施形態２の方法を使用し、次に、ネットワークとのコネクションを確立し、通信を実行し、ｅＮｏｄｅＢは、ｅＮｏｄｅＢとＳＧＷとの間のユーザ・プレーン・パスが故障しているか否かをリアルタイムで検出し、ｅＮｏｄｅＢとＳＧＷとの間のユーザ・プレーン・パスが故障していることを検出した場合、ＭＭＥに通知するため、故障識別子を含むＳ１−ＡＰメッセージを送信する。ＭＭＥは、Ｓ１−ＡＰメッセージを受信し、ｅＮｏｄｅＢの位置情報とＳＧＷのシグナリング・プレーン・アドレスとの間の対応関係をｅＮｏｄｅＢとＳＧＷ群との間のユーザ・プレーン・パス群の故障情報に記憶する。
【０１３１】
その上、ＳＧＷは、ＳＧＷとｅＮｏｄｅＢとの間のユーザ・プレーン・パスが故障しているか否かをリアルタイムでさらに検出し、故障している場合、ｅＮｏｄｅＢへのユーザ・プレーン・パスの故障識別子を含むＳ１１インターフェース・メッセージをＭＭＥに送信する。ＭＭＥは、Ｓ１１インターフェース・メッセージを受信し、ｅＮｏｄｅＢの位置情報とＳＧＷのシグナリング・プレーン・アドレスとの間の対応関係をｅＮｏｄｅＢとＳＧＷ群との間のユーザ・プレーン・パス群の故障情報に記憶する。
【０１３２】
さらに、ＳＧＷは、ＳＧＷとＰＧＷとの間のシグナリング・プレーン・パスが故障しているか否かをリアルタイムで検出し、ＳＧＷとＰＧＷとの間のシグナリング・プレーン・パスが故障していることを検出した場合、ＰＧＷへのシグナリング・プレーン・パスの故障識別子を含むＳ１１インターフェース・メッセージをＭＭＥに送信する。ＭＭＥは、Ｓ１１インターフェース・メッセージを受信し、ＳＧＷのシグナリング・プレーン・アドレスとＰＧＷのシグナリング・プレーン・アドレスとの間の対応関係をＳＧＷ群とＰＧＷ群との間のシグナリング・プレーン・パス群の故障情報に記憶する。
【０１３３】
さらに、ＳＧＷは、ＳＧＷとＰＧＷとの間のユーザ・プレーン・パスが故障しているか否かをリアルタイムで検出し、ＳＧＷとＰＧＷとの間のユーザ・プレーン・パスが故障していることを検出した場合、ＰＧＷへのユーザ・プレーン・パスの故障識別子を含むＳ１１インターフェース・メッセージをＭＭＥに送信する。ＭＭＥは、Ｓ１１インターフェース・メッセージを受信し、ＳＧＷのユーザ・プレーン・アドレスとＰＧＷのユーザ・プレーン・アドレスとの間の対応関係をＳＧＷ群とＰＧＷ群との間のユーザ・プレーン・パス群の故障情報に記憶する。
【０１３４】
ｅＮｏｄｅＢとＳＧＷとの間のユーザ・プレーン・パスが故障している場合、ＳＧＷは、ＳＧＷとＰＧＷとの間のシグナリング・プレーン・パスが故障していることを検出し、ＳＧＷは、ＳＧＷとＰＧＷとの間のユーザ・プレーン・パスが故障していることを検出し、または、ＳＧＷがＳＧＷとＰＧＷとの間のパスが故障していることを検出し、ＭＭＥは、ＵＥに対する新ＳＧＷを再選択することが必要である。図７を参照すると、この方法は以下のステップを含む。
【０１３５】
ステップ５０１：ＵＥは、サービス要求（Ｓｅｒｖｅｒ  Ｒｅｑｕｅｓｔ）をｅＮｏｄｅＢに送信する。
【０１３６】
ｅＮｏｄｅＢとＳＧＷとの間のユーザ・プレーン・パスが故障している場合、ＳＧＷは、ＳＧＷとＰＧＷとの間のシグナリング・プレーン・パスが故障していることを検出し、ＳＧＷは、ＳＧＷとＰＧＷとの間のユーザ・プレーン・パスが故障していることを検出し、または、ＳＧＷは、ＳＧＷとｅＮｏｄｅＢとの間のユーザ・プレーン・パスが故障していることを検出し、ｅＮｏｄｅＢは、ＵＥとのエアー・インターフェースを解放し、次に、ＵＥは、新ＳＧＷの選択を要求するためサービス要求を送信する。
【０１３７】
ステップ５０２：ｅＮｏｄｅＢは、サービス要求を受信し、ｅＮｏｄｅＢの位置情報をサービス要求に付加し、サービス要求をＭＭＥに転送する。
【０１３８】
ステップ５０３：ＭＭＥは、サービス要求を受信し、サービス要求に含まれるｅＮｏｄｅＢの位置情報に応じてＳＧＷ群のシグナリング・プレーン・アドレス・リストを獲得する。
【０１３９】
具体的には、ｅＮｏｄｅＢの位置情報に応じてＭＭＥによってＳＧＷ群のシグナリング・プレーン・アドレス・リストを獲得するプロセスは、実施形態２のステップ２０３においてｅＮｏｄｅＢによってＳＧＷ群のシグナリング・プレーン・アドレス・リストを獲得するプロセスと同じであり、ここではこれ以上説明しない。
【０１４０】
ステップ５０４：ＭＭＥは、ＳＧＷ群の獲得されたシグナリング・プレーン・アドレス・リスト、ｅＮｏｄｅＢとＳＧＷ群との間のユーザ・プレーン・パス群の故障情報、ＳＧＷ群とＰＧＷ群との間のシグナリング・プレーン・パス群の故障情報、および／または、ＳＧＷ群とＰＧＷ群との間のユーザ・プレーン・パス群の故障情報に応じて、ＵＥに対する新ＳＧＷを再選択する。
【０１４１】
具体的には、ＭＭＥによって、ＳＧＷ群のシグナリング・プレーン・アドレス・リスト、および、ｅＮｏｄｅＢとＳＧＷ群との間のユーザ・プレーン・パス群の記憶された故障情報に応じて、ＵＥに対する新ＳＧＷを選択するステップは、
ｅＮｏｄｅＢの位置情報に応じて、ｅＮｏｄｅＢへの故障したユーザ・プレーン・パスを有するＳＧＷのシグナリング・プレーン・アドレスを見つけるため、ｅＮｏｄｅＢとＳＧＷ群との間のユーザ・プレーン・パス群の故障情報を検索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス中の残りのＳＧＷ群のシグナリング・プレーン・アドレス群から新ＳＧＷのシグナリング・プレーン・アドレスを選択するステップと、
を含む。
【０１４２】
ＭＭＥによって、ＳＧＷ群のシグナリング・プレーン・アドレス・リスト、および、ＳＧＷ群とＰＧＷ群との間のユーザ・プレーン・パス群の記憶された故障情報に応じて、ＵＥに対する新ＳＧＷを選択するステップは、
獲得されたＰＧＷのシグナリング・プレーン・アドレスに応じて、ＰＧＷへの故障したシグナリング・プレーン・パスを有するＳＧＷのシグナリング・プレーン・アドレスを見つけるためＳＧＷ群とＰＧＷ群との間のシグナリング・プレーン・パス群の故障情報を検索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレスから新ＳＧＷのシグナリング・プレーン・アドレスを選択するステップと、
を含む。
【０１４３】
ＭＭＥによって、ＳＧＷ群のシグナリング・プレーン・アドレス・リスト、および、ＳＧＷ群とＰＧＷ群との間のシグナリング・プレーン・パス群の記憶された故障情報に応じて、ＵＥに対する新ＳＧＷを選択するステップは、
獲得されたＰＧＷのユーザ・プレーン・アドレスに応じて、ＰＧＷへの故障したユーザ・プレーン・パスを有するＳＧＷのシグナリング・プレーン・アドレスを見つけるためＳＧＷ群とＰＧＷ群との間のユーザ・プレーン・パス群の故障情報を検索するステップと、
ＳＧＷ群の獲得されたシグナリング・プレーン・アドレス・リストから故障したＳＧＷのシグナリング・プレーン・アドレスを除去し、ＳＧＷ群のシグナリング・プレーン・アドレス・リスト中の残りのＳＧＷ群のシグナリング・プレーン・アドレス群から新ＳＧＷのシグナリング・プレーン・アドレスを選択するステップと、
を含む。
【０１４４】
ステップ５０５：ＭＭＥは、選択された新ＳＧＷのシグナリング・プレーン・アドレスに応じて、獲得されたＰＧＷのシグナリング・プレーン・アドレスを含むＳ１１インターフェース要求メッセージを対応する新ＳＧＷに送信する。
【０１４５】
ステップ５０６：新ＳＧＷは、Ｓ１１インターフェース要求メッセージを受信し、新ＳＧＷとＳ１１インターフェース要求メッセージに含まれるＰＧＷのシグナリング・プレーン・アドレスに対応しているＰＧＷとの間のパスが故障しているか否かを決定する。
【０１４６】
具体的には、新ＳＧＷによって、新ＳＧＷとＰＧＷとの間のパスが故障しているか否かを決定するプロセスは、ＳＧＷによって、実施形態２のステップ２０６においてＳＧＷとＰＧＷとの間のパスが故障しているか否かを決定するプロセスと同じであり、ここではこれ以上説明しない。
【０１４７】
ステップ５０７：新ＳＧＷは、Ｓ１１インターフェース・メッセージを新ＭＭＥに送信し、新ＳＧＷとＰＧＷとの間のパスが正常である場合、Ｓ１１インターフェース・メッセージは、新ＳＧＷとＰＧＷとの間のパスが正常であるという識別子と、新ＳＧＷのユーザ・プレーン・アドレスとを含む。
【０１４８】
新ＳＧＷとＰＧＷとの間のシグナリング・プレーン・パスが故障している場合、Ｓ１１インターフェース・メッセージは、新ＳＧＷとＰＧＷとの間のシグナリング・プレーン・パスの故障識別子を含み、新ＳＧＷとＰＧＷとの間のユーザ・プレーン・パスが故障している場合、Ｓ１１インターフェース・メッセージは、新ＳＧＷとＰＧＷとの間のユーザ・プレーン・パスの故障識別子を含む。
【０１４９】
ステップ５０８：ＭＭＥは、新ＳＧＷによって返送されたＳ１１インターフェース・メッセージを受信し、Ｓ１１インターフェース・メッセージがパスは正常であることを指示する識別子を含む場合、ＭＭＥは、新ＳＧＷのユーザ・プレーン・アドレスを含むＳ１−ＡＰ応答メッセージをｅＮｏｄｅＢに送信する。
【０１５０】
Ｓ１１インターフェース・メッセージが新ＳＧＷとＰＧＷとの間のシグナリング・プレーン・パスの故障識別子を含む場合、ＭＭＥは、新ＳＧＷのシグナリング・プレーン・アドレスとＰＧＷのシグナリング・プレーン・アドレスとの間の対応関係をＳＧＷ群とＰＧＷ群との間のシグナリング・プレーン・パス群の故障情報に記憶し、残りの選択されていないＳＧＷ群のシグナリング・プレーン・アドレス群からＵＥに対する新ＳＧＷのシグナリング・プレーン・アドレスを再選択し、次に、ステップ５０５へ戻る。
【０１５１】
Ｓ１１インターフェース・メッセージが新ＳＧＷとＰＧＷとの間のユーザ・プレーン・パスの故障識別子を含む場合、ＭＭＥは、新ＳＧＷのシグナリング・プレーン・アドレスとＰＧＷのユーザ・プレーン・アドレスとの間の対応関係をＳＧＷ群とＰＧＷ群との間のユーザ・プレーン・パス群の故障情報に記憶し、残りの選択されていないＳＧＷ群のシグナリング・プレーン・アドレス群からＵＥに対する新ＳＧＷの新シグナリング・プレーン・アドレスを再選択し、次に、ステップ５０５へ戻る。
【０１５２】
ステップ５０９：ｅＮｏｄｅＢは、Ｓ１−ＡＰ応答メッセージを受信し、Ｓ１−ＡＰ応答メッセージに含まれるＳＧＷのユーザ・プレーン・アドレスに応じて、ｅＮｏｄｅＢと対応する新ＳＧＷとの間のユーザ・プレーン・パスが故障しているか否かを決定する。
【０１５３】
具体的には、ｅＮｏｄｅＢによって、ｅＮｏｄｅＢと新ＳＧＷとの間のパスが故障しているか否かを決定するプロセスは、ｅＮｏｄｅＢによって、実施形態２のステップ２０９においてｅＮｏｄｅＢとＳＧＷとの間のパスが故障しているか否かを決定するプロセスと同じであり、ここではこれ以上説明しない。
【０１５４】
ステップ５１０：ｅＮｏｄｅＢがｅＮｏｄｅＢと新ＳＧＷとの間のユーザ・プレーン・パスは正常であると決定する場合、ｅＮｏｄｅＢは、ＭＭＥに通知するため、ｅＮｏｄｅＢとＳＧＷとの間のユーザ・プレーン・パスが正常であることを指示する識別子を含むＳ１−ＡＰメッセージを送信する。
【０１５５】
ｅＮｏｄｅＢがｅＮｏｄｅＢと新ＳＧＷとの間のユーザ・プレーン・パスは故障していると決定した場合、ｅＮｏｄｅＢは、ＭＭＥに通知するため、ｅＮｏｄｅＢとＰＧＷとの間のユーザ・プレーン・パスの故障識別子を含むＳ１−ＡＰメッセージを送信する。
【０１５６】
相応して、ＭＭＥは、Ｓ１−ＡＰメッセージを受信し、ｅＮｏｄｅＢの位置情報と選択されたＳＧＷのシグナリング・プレーン・アドレスとの間の対応関係をｅＮｏｄｅＢとＳＧＷ群との間のユーザ・プレーン・パス群の故障情報に記憶し、残りの選択されていないＳＧＷ群のシグナリング・プレーン・アドレス群からＵＥに対する新ＳＧＷのシグナリング・プレーン・アドレスを再選択し、ステップ５０５へ戻る。
【０１５７】
新ＳＧＷのＩＤがＵＥに対して選択された後、ＵＥは、ネットワークとのコネクションを確立し、次に、通信を実行するため、確立されたコネクションを使用することがある。
【０１５８】
本発明の実施形態では、ＭＭＥは、ｅＮｏｄｅＢの位置情報に応じて全ての対応するＳＧＷ群のシグナリング・プレーン・アドレス群を獲得し、次に、ｅＮｏｄｅＢとＳＧＷ群との間のユーザ・プレーン・パス群の故障情報に応じて、ｅＮｏｄｅＢへの故障したユーザ・プレーン・パスを有するＳＧＷのシグナリング・プレーン・アドレスを見つけ、ＳＧＷ群とＰＧＷ群との間のパス群の故障情報に応じて、獲得されたＰＧＷへの故障したシグナリング・プレーン・パスを有するＳＧＷのシグナリング・プレーン・アドレスを見つけ,ＳＧＷ群とＰＧＷ群との間のユーザ・プレーン・パス群の故障情報に応じて、獲得されたＰＧＷへの故障したユーザ・プレーン・パスを有するＳＧＷのシグナリング・プレーン・アドレスを見つけ、全てのＳＧＷ群の獲得されたシグナリング・プレーン・アドレス群からＳＧＷ群の見つけられたシグナリング・プレーン・アドレス群を除去し、残りのＳＧＷ群のシグナリング・プレーン・アドレス群からＵＥに対する新ＳＧＷのシグナリング・プレーン・アドレスを選択し、その結果、選択された新ＳＧＷとＰＧＷとの間のパスの故障確率、および、選択された新ＳＧＷと新ｅＮｏｄｅＢとの間のユーザ・プレーン・パスの故障確率が低下させられる。このようにして、ＵＥに対するコネクションの１回限りの確立の成功確率が確保され、ＵＥのネットワークアクセスの時間浪費が削減され、ネットワークリソースが節約される。
【０１５９】
実施形態６
図８に示されるように、本発明の実施形態は、サービング・ゲートウェイ・エンティティを選択する装置を提供し、この装置は、
基地局によって送信された、基地局の位置情報を含むＵＥのアクセス要求メッセージを受信するために構成されている受信モジュール６０１と、
受信モジュール６０１によって受信された基地局の位置情報に応じて、ＵＥに対応するＳＧＷ群のシグナリング・プレーン・アドレス・リストを獲得するために構成されている獲得モジュール６０２と、
ＳＧＷ群とＳＧＷ群の隣接するネットワーク要素群との間のパス群の故障情報、および、獲得モジュール６０２によって獲得された、ＵＥに対応するＳＧＷ群のシグナリング・プレーン・アドレス・リストに応じて、ＵＥに対応するためＳＧＷの隣接するネットワーク要素への故障したパスを有していないＳＧＷを選択するために構成されている選択モジュール６０３と、
を含む。
【０１６０】
本発明の実施形態では、選択モジュール６０３は、具体的には、
ＳＧＷ群とＳＧＷ群の隣接するネットワーク要素群との間のパス群の故障情報に応じて、ＳＧＷ群のシグナリング・プレーン・アドレス・リストにおいて、個々のＳＧＷの隣接するネットワーク要素への故障したパスを有する個々のＳＧＷのシグナリング・プレーン・アドレスを決定するために構成されている獲得ユニットと、
ＳＧＷ群のシグナリング・プレーン・アドレス・リストから、ＳＧＷの隣接するネットワーク要素への故障したパスを有するＳＧＷのシグナリング・プレーン・アドレスを除去し、次に、ＳＧＷ群のシグナリング・プレーン・アドレス・リストに応じて、ＵＥに対するＳＧＷを選択するために構成されている選択ユニットと、
を含む。
【０１６１】
ＳＧＷ群とＳＧＷ群の隣接するネットワーク要素群との間のパス群の故障情報は、以下の情報：
基地局とＳＧＷ群との間のユーザ・プレーン・パス群の故障情報と、
ＳＧＷ群とＰＧＷ群との間のシグナリング・プレーン・パス群の故障情報と、
ＳＧＷ群とＰＧＷ群との間のユーザ・プレーン・パス群の故障情報と、
のうちの少なくとも１つを含む。
【０１６２】
本発明の別の実施形態では、獲得ユニットは、以下の獲得サブユニット：
基地局の位置情報、および、基地局とＳＧＷ群との間のユーザ・プレーン・パス群の故障情報に応じて、基地局への故障したユーザ・プレーン・パスを有するＳＧＷのシグナリング・プレーン・アドレスを決定するために構成されている第１の獲得サブユニットと、
獲得されたＰＧＷのシグナリング・プレーン・アドレス、および、ＳＧＷ群とＰＧＷ群との間のシグナリング・プレーン・パス群の故障情報に応じて、獲得されたＰＧＷへの故障したシグナリング・プレーン・パスを有するＳＧＷのシグナリング・プレーン・アドレスを決定するために構成されている第２の獲得サブユニットと、
獲得されたＰＧＷのユーザ・プレーン・アドレス、および、ＳＧＷ群とＰＧＷ群との間のユーザ・プレーン・パス群の故障情報に応じて、獲得されたＰＧＷへの故障したユーザ・プレーン・パスを有するＳＧＷのシグナリング・プレーン・アドレスを決定するために構成されている第３の獲得サブユニットと、
のうちの少なくとも１つを含む。
【０１６３】
さらに、本発明の別の実施形態では、選択モジュール６０３は、
基地局が選択されたＳＧＷへのユーザ・パスは故障していることを検出した後、基地局によって送信された、ユーザ・プレーン・パスの故障識別子を含むＳ１−ＡＰメッセージを受信し、基地局の位置情報と選択されたＳＧＷのシグナリング・プレーン・アドレスとの間の対応関係を基地局とＳＧＷ群との間のユーザ・プレーン・パス群の故障情報に記憶するために構成されている第１の記憶ユニットと、
基地局とＳＧＷ群との間のユーザ・プレーン・パス群の故障情報、および、ＵＥに対応するＳＧＷ群の獲得されたシグナリング・プレーン・アドレス・リストに応じて、ＵＥに対応するため基地局への故障したパスを有していないＳＧＷを選択するために構成されている第１の選択ユニットと、
を含む。
【０１６４】
さらに、本発明の別の実施形態では、選択モジュール６０３は、
選択されたＳＧＷが基地局へのユーザ・パスは故障していることを検出した後、選択されたＳＧＷによって送信された、基地局へのユーザ・プレーン・パスの故障情報を含むＳ１１インターフェース・メッセージを受信し、基地局の位置情報と選択されたＳＧＷのシグナリング・プレーン・アドレスとの間の対応関係を基地局とＳＧＷ群との間のユーザ・プレーン・パス群の故障情報に記憶するために構成されている第２の記憶ユニットと、
基地局とＳＧＷ群との間のユーザ・プレーン・パスの故障情報、および、ＵＥに対応するＳＧＷ群の獲得されたシグナリング・プレーン・アドレス・リストに応じて、ＵＥに対応するため基地局への故障したパスを有していないＳＧＷを選択するために構成されている第２の選択ユニットと、
を含む。
【０１６５】
さらに、本発明の別の実施形態では、選択モジュール６０３は、
選択されたＳＧＷが獲得されたＰＧＷへのシグナリング・プレーン・パスは故障していることを検出した後、選択されたＳＧＷによって送信された、ＰＧＷへのシグナリング・プレーン・パスの故障識別子を含むＳ１１インターフェース・メッセージを受信し、選択されたＳＧＷのシグナリング・プレーン・アドレスと獲得されたＰＧＷのシグナリング・プレーン・アドレスとの間の対応関係をＳＧＷ群とＰＧＷ群との間のシグナリング・プレーン・パス群の故障情報に記憶するために構成されている第３の記憶ユニットと、
ＳＧＷ群とＰＧＷ群との間のシグナリング・プレーン・パス群の故障情報、および、ＵＥに対応するＳＧＷ群の獲得されたシグナリング・プレーン・アドレス・リストに応じて、ＵＥに対応するため獲得されたＰＧＷへの故障したパスを有していないＳＧＷを選択するために構成されている第３の選択ユニットと、
を含む。
【０１６６】
さらに、本発明の別の実施形態では、選択モジュール６０３は、
選択されたＳＧＷが獲得されたＰＧＷへのユーザ・プレーン・パスは故障していることを検出した後、選択されたＳＧＷによって送信された、ＰＧＷへのユーザ・プレーン・パスの故障識別子を含むＳ１１インターフェース・メッセージを受信し、選択されたＳＧＷのシグナリング・プレーン・アドレスと獲得されたＰＧＷのユーザ・プレーン・アドレスとの間の対応関係をＳＧＷ群とＰＧＷ群との間のユーザ・パス群の故障情報に記憶するために構成されている第４の記憶ユニットと、
ＳＧＷ群とＰＧＷ群との間のユーザ・プレーン・パス群の故障情報、および、ＵＥに対応するＳＧＷ群の獲得されたシグナリング・プレーン・アドレス・リストに応じて、ＵＥに対応するため獲得されたＰＧＷへの故障したパスを有していないＳＧＷを選択するために構成されている第４の選択ユニットと、
を含む。
【０１６７】
本発明の実施形態では、ＭＭＥは、ｅＮｏｄｅＢの位置情報に応じて、全ての対応するＳＧＷ群のシグナリング・プレーン・アドレス群を獲得し、ｅＮｏｄｅＢとＳＧＷ群との間のユーザ・プレーン・パス群の故障情報に応じて、ｅＮｏｄｅＢへの故障したユーザ・プレーン・パスを有するＳＧＷのシグナリング・プレーン・アドレスを探索し、ＳＧＷ群とＰＧＷ群との間のシグナリング・プレーン・パス群の故障情報に応じて、獲得されたＰＧＷへの故障したシグナリング・プレーン・パスを有するＳＧＷのシグナリング・プレーン・アドレスを探索し、ＳＧＷ群の獲得されたシグナリング・プレーン・アドレス・リストからＳＧＷ群の見つけられたシグナリング・プレーン・アドレス群を除去し、残りのＳＧＷ群のシグナリング・プレーン・アドレス群からＵＥに対するＳＧＷのシグナリング・プレーン・アドレスを選択し、その結果、選択されたＳＧＷとＰＧＷとの間のパスの故障確率および選択されたＳＧＷとｅＮｏｄｅＢとの間のユーザ・プレーン・パスの故障確率が低下させられる。このようにして、ＵＥに対するコネクションの１回限りの確立の成功確率が確保され、ＵＥのネットワークアクセスの時間浪費が削減され、ネットワークリソースが節約される。
【０１６８】
実施形態によって提供された技術的解決手法に開示された内容の全部または一部は、ソフトウェアプログラミングによって実施され得る。プログラムは、コンピュータにおけるハードディスク、ＣＤ−ＲＯＭ、またはフロッピーディスクのような読み取り可能な記憶媒体に記憶されることがある。
【０１６９】
上記説明は、単に本発明の好ましい実施形態に関するものであり、本発明を限定することは意図されていない。本発明のアイデアおよび原理の範囲内にある変更、等価な置換、改良などはいずれも本発明の保護範囲に含まれるであろう。
【図１】
0005687358.tif 000003
【図２】
0005687358.tif 000004
【図３】
0005687358.tif 000005
【図４】
0005687358.tif 000006
【図５】
0005687358.tif 000007
【図６】
0005687358.tif 000008
【図７】
0005687358.tif 000009
【図８】
0005687358.tif 000010